(57)【要約】【課題】省スペースで装飾性をより高めることが可能な遊技機を提供する。【解決手段】前方に開口部を有する箱状に形成された基体部と、基体部に対して開口部を開閉可能に取り付けられた前面扉と、基体部に収容された遊技を行うためのリールユニット１１とを備え、前面扉は、リールユニット１１の前方を覆って所定の装飾が施されるランプユニット５０を有し、ランプユニット５０に、リールユニット１１を構成するリール１２ａ〜１２ｃの一部を前方から視認可能にする窓穴部５２ａ〜５２ｃが形成されており、窓穴部５２ａ〜５２ｃは、ランプユニット５０の前方における所定の基準点ＥＰから放射状に延びる線に沿って形成される。【選択図】図１３
2015139580.tif 000002
【特許請求の範囲】
【請求項１】
前方に開口部を有する箱状に形成された本体部材と、
前記本体部材に対して前記開口部を開閉可能に取り付けられた開閉部材と、
前記本体部材に収容された遊技を行うためのリールユニットとを備え、
前記開閉部材は、前記リールユニットの前方を覆って所定の装飾が施される装飾部を有し、
前記装飾部に、前記リールユニットを構成するリールの一部を前方から視認可能にする窓穴部が形成されており、
前記窓穴部は、前記装飾部の前方における所定の基準点から放射状に延びる線に沿って形成されることを特徴とする遊技機。
【請求項２】
前記リールユニットは、左右に並ぶ複数のリールを有し、
前記装飾部に、前記リールの一部を前方から視認可能にする前記窓穴部が左右に並んで前記複数形成されており、
前記複数の前記窓穴部はそれぞれ、前記所定の基準点から放射状に延びる線に沿って形成されることを特徴とする請求項１に記載の遊技機。
【請求項３】
前記所定の基準点は、遊技者の視点として設定される基準点であることを特徴とする請求項１または２に記載の遊技機。
【発明の詳細な説明】
【技術分野】
【０００１】
本発明は、スロットマシン等の遊技機に関する。
【背景技術】
【０００２】
遊技機の一種であるスロットマシンは、リールを回転させるリールユニットと、リールユニットの作動制御を行う主制御装置と、遊技の結果に応じてメダルを払い出す払出装置と、これらを収容する箱状の基体部（本体部材）と、基体部の前面開口部を開閉可能な前面扉（開閉部材）とを備えて構成されている（例えば、特許文献１を参照）。また、前面扉には、電飾装置や化粧板等の装飾部品と、所定の遊技情報を発光表示するための発光表示装置と、電飾装置等の制御を行う副制御装置とが取り付けられている（例えば、特許文献２を参照）。
【先行技術文献】
【特許文献】
【０００３】
【特許文献１】特開２００６−６６５１号公報
【特許文献２】特開２０００−２２２９２２号公報
【発明の概要】
【発明が解決しようとする課題】
【０００４】
このような遊技機では、限られたスペースで装飾性をより高めるための方策が求められている。
【０００５】
本発明は、このような課題に鑑みてなされたものであり、省スペースで装飾性をより高めることが可能な遊技機を提供することを目的とする。
【課題を解決するための手段】
【０００６】
このような目的達成のため、本発明に係る遊技機は、前方に開口部を有する箱状に形成された本体部材と、前記本体部材に対して前記開口部を開閉可能に取り付けられた開閉部材と、前記本体部材に収容された遊技を行うためのリールユニットとを備え、前記開閉部材は、前記リールユニットの前方を覆って所定の装飾が施される装飾部を有し、前記装飾部に、前記リールユニットを構成するリールの一部を前方から視認可能にする窓穴部が形成されており、前記窓穴部は、前記装飾部の前方における所定の基準点から放射状に延びる線に沿って形成されている。
【発明の効果】
【０００７】
本発明によれば、省スペースで遊技機の装飾性をより高めることができる。
【図面の簡単な説明】
【０００８】
【図１】第１実施形態のスロットマシンの正面図である。
【図２】スロットマシンの内部構造を示す正面図である。
【図３】スロットマシンの前面扉を後方から見た図である。
【図４】スロットマシンの上部を示す拡大正面図である。
【図５】ランプユニットの斜視図である。
【図６】ランプユニットの分解斜視図である。
【図７】ランプハウスの正面図である。
【図８】ランプハウスの背面図である。
【図９】（ａ）は挿入規制部材を前方から見た斜視図であり、（ｂ）は挿入規制部材の側面図であり、（ｃ）は挿入規制部材を後方から見た斜視図である。
【図１０】リアカバーの背面図である。
【図１１】ランプユニットの正面図である。
【図１２】図１１の矢印XII−XIIの方向から見た断面図である。
【図１３】図１１の矢印XIII−XIIIの方向から見た断面図である。
【図１４】図１１の矢印XIV−XIVの方向から見た断面図である。
【図１５】ランプユニットの左側部分の側断面図である。
【図１６】ランプユニットの中央部分の側断面図である。
【図１７】第２実施形態のスロットマシンの分解斜視図である。
【図１８】スロットマシンの内部構造を示す正面図である。
【図１９】リールユニットの斜視図である。
【図２０】リールユニットの正面図である。
【図２１】（ａ）は右サイドランプの平断面図であり、（ｂ）は右サイドランプの側面図である。
【図２２】右サイドランプの分解斜視図である。
【図２３】ランプモジュールを右前方上側から見た分解斜視図である。
【図２４】ランプモジュールを左前方下側から見た分解斜視図である。
【図２５】サイドランプ基板の側面図である。
【図２６】ランプモジュールの一部を示す平断面図である。
【図２７】（ａ）は側方から第１電飾用ＬＥＤランプを見た模式図であり、（ｂ）は（ａ）と同じ方から第２電飾用ＬＥＤランプを見た模式図である。
【図２８】副制御装置の斜視図である。
【図２９】副制御装置の側断面図である。
【図３０】副制御基板の斜視図である。
【図３１】ＲＯＭカバーの斜視図である。
【図３２】第３実施形態のスロットマシンの正面図である。
【図３３】スロットマシンの内部構造を示す正面図である。
【図３４】スロットマシンの前面扉を後方から見た図である。
【図３５】前面扉の上部を示す分解斜視図である。
【図３６】第４電飾ユニットの側断面図である。
【図３７】前面扉から第４電飾ユニットを取り外した状態を示す分解斜視図である。
【図３８】第４電飾ユニットの分解斜視図である。
【図３９】主制御装置の正面図である。
【図４０】主制御装置の分解斜視図である。
【図４１】主制御装置から光通信ケーブルを引き抜いた状態を示す正面図である。
【図４２】主制御装置から主基板側コネクタカバーを取り外した状態を示す正面図である。
【図４３】（ａ）は主制御装置から光通信ケーブルを引き抜いた状態を示す平断面図であり、（ｂ）は主制御装置に光通信ケーブルを繋いだ状態を示す平断面図である。
【図４４】主制御基板の正面図である。
【図４５】主基板ケース蓋を後方から見た斜視図である。
【図４６】（ａ）は主基板側コネクタカバーを前方から見た斜視図であり、（ｂ）は主基板側コネクタカバーの背面図であり、（ｃ）は主基板側コネクタカバーを後方から見た斜視図である。
【図４７】副制御装置の正面図である。
【図４８】副制御装置を前方から見た斜視図である。
【図４９】副制御装置の側面図である。
【図５０】副制御装置の平面図である。
【図５１】副制御装置の分解斜視図である。
【図５２】副制御装置の上側部分の平断面図である。
【図５３】副制御装置から副基板側コネクタカバーを取り外した状態を示す正面図である。
【図５４】副制御装置を上方から見た斜視図である。
【図５５】副制御装置を上方から見た斜視図である。
【図５６】副制御装置の下側部分の平断面図である。
【図５７】副制御基板の表側を示す斜視図である。
【図５８】副制御基板の裏側を示す斜視図である。
【図５９】副制御基板からガード部材を取り外した状態を示す斜視図である。
【図６０】副基板ケース蓋を前方から見た斜視図である。
【図６１】（ａ）は副基板側コネクタカバーを前方から見た斜視図であり、（ｂ）は副基板側コネクタカバーの側面図であり、（ｃ）は副基板側コネクタカバーを後方から見た斜視図である。
【図６２】光通信装置を示す模式図である。
【図６３】キャップ部材の第１変形例を示す斜視図である。
【図６４】キャップ部材の第１変形例を示す断面図である。
【図６５】キャップ部材の第２変形例を示す断面図である。
【図６６】キャップ部材の第３変形例を示す断面図である。
【発明を実施するための形態】
【０００９】
［第１実施形態］
以下、本発明の好ましい実施形態について図面を参照して説明する。まず、図１〜図３を参照しながら、遊技機の第１実施形態としてスロットマシンＳＭ１の概要について説明する。なお、第１実施形態において、図１の各矢印で示す方向をそれぞれ、上下方向、前後方向、左右方向として説明する。第１実施形態のスロットマシンＳＭ１は、箱状の基体部１０と、前面扉２０とを主体に構成される。図２に示すように、基体部１０は前方に開口部１０ａを有する箱状に形成され、基体部１０の前部に前面扉２０が取り付けられる。前面扉２０は、ヒンジ機構５ａ，５ｂを用いて基体部１０の左前部に枢支され、基体部１０の開口部１０ａを揺動開閉可能に構成される。
【００１０】
基体部１０の内部上側には、３つのリール１２ａ，１２ｂ，１２ｃを備えるリールユニット１１が設けられ、前面扉２０のランプユニット５０に設けられたリール表示窓５２ａ，５２ｂ，５２ｃを通して３つのリール１２ａ，１２ｂ，１２ｃに描かれている図柄を視認することができるようになっている。基体部１０の内部下側には、スロットマシンＳＭ１に搭載された種々の装置に電源を供給する電源ユニット１３、およびメダルを貯留しておくホッパー１４ａを備えるメダル払出装置１４が設けられている。基体部１０の内部中央には、主制御装置１５が設けられている。主制御装置１５は、リールユニット１１の作動制御、メダル払出装置１４の作動制御等、スロットマシンＳＭ１で行われる遊技を全体的に制御する。
【００１１】
図１に示すように、前面扉２０には前面枠２１が形成されており、前面枠２１の略中央部に、所定の演出画像を表示する画像表示装置２２が設けられている。前面扉２０の前面側中央には、画像表示装置２２の下方に位置して操作パネル２３が設けられている。操作パネル２３の前面側には、スタートスイッチ２４、および３つのストップスイッチ２５ａ，２５ｂ，２５ｃが設けられている。操作パネル２３の上面側には、各種ベットスイッチ２６、各種演出操作スイッチ２７、およびメダル投入口２８が設けられている。前面扉２０の前面側上部には、リール表示窓５２ａ，５２ｂ，５２ｃを有したランプユニット５０、および左右のサイドランプ３１，３２が設けられている。前面扉２０の前面側下部には、装飾パネル３３、およびメダル払出装置１４から払い出されたメダルが貯留される受け皿３４が設けられている。
【００１２】
前面扉２０が基体部１０の開口部１０ａを閉じた状態では、前面扉２０の後面側が基体部１０の内部側に位置する。この前面扉２０の後面側には、図３に示すように、副制御装置３５、左右の上部スピーカーユニット３６，３７、および左右の下部スピーカーユニット３８，３９が設けられている。副制御装置３５は、画像表示装置２２の画像制御、ランプユニット５０の発光制御、左右のサイドランプ３１，３２の発光制御、各種スピーカーユニット３６〜３９の音声制御等、スロットマシンＳＭ１の演出制御を統括的に行う。
【００１３】
［ランプユニットの構成］
次に、本実施形態に係るランプユニット５０について図４〜図１６を参照して説明する。ランプユニット５０は、図４〜図６に示すように、電飾ランプ基板５５と、リアカバー６０と、ランプハウス７０と、インナーカバー８０と、アウターカバー８５と、挿入規制部材９０とを有して構成される。また、ランプユニット５０には、左側の第１リール表示窓５２ａと、中央の第２リール表示窓５２ｂと、右側の第３リール表示窓５２ｃとが形成されている。ランプユニット５０は、前面扉２０の前面枠２１の上部に、前面枠２１上部の開口部分を塞いで前方を向くように取り付けられる。
【００１４】
電飾ランプ基板５５は、図６に示すように、プリント基板５６と、２つのＡＴ報知用ＬＥＤランプ５９ａ，５９ａと、多数の電飾用ＬＥＤランプ５９ｂ，５９ｂ，…とを有して構成され、ランプハウス７０の後面側に取り付けられる。２つのＡＴ報知用ＬＥＤランプ５９ａ，５９ａは、プリント基板５６の下部前面側に左右に離れて配設される。多数の電飾用ＬＥＤランプ５９ｂ，５９ｂ，…は、プリント基板５６の前面側に全体に亘って配設される。電飾ランプ基板５５は、副制御装置３５と電気的に接続され、副制御装置３５から送信されたランプ制御信号に応じて、ＡＴ報知用ＬＥＤランプ５９ａおよび電飾用ＬＥＤランプ５９ｂの発光制御を行う。
【００１５】
プリント基板５６の左側には、ランプハウス７０の第１窓穴部７２ａが挿通される長方形の第１窓部挿通穴５７ａが形成される。プリント基板５６の中央部には、ランプハウス７０の第２窓穴部７２ｂが挿通される長方形の第２窓部挿通穴５７ｂが形成される。プリント基板５６の右側には、ランプハウス７０の第３窓穴部７２ｃが挿通される長方形の第３窓部挿通穴５７ｃが形成される。プリント基板５６の下部には、ＡＴ報知用ＬＥＤランプ５９ａで発光する光を検出するための光センサＳＲ（図１２を参照）を挿通させることが可能な２つのセンサ切欠き部５８，５８がＡＴ報知用ＬＥＤランプ５９ａ，５９ａの左側に並んで形成される。
【００１６】
リアカバー６０は、図６および図１０に示すように、樹脂材料を用いて板状に形成され、電飾ランプ基板５５を覆ってランプハウス７０の後面側に取り付けられる。リアカバー６０の左側には、ランプハウス７０の第１窓穴部７２ａが挿通される長方形の第１窓部挿通穴６２ａが形成される。リアカバー６０の中央部には、ランプハウス７０の第２窓穴部７２ｂが挿通される長方形の第２窓部挿通穴６２ｂが形成される。リアカバー６０の右側には、ランプハウス７０の第３窓穴部７２ｃが挿通される長方形の第３窓部挿通穴６２ｃが形成される。リアカバー６０の下部には、光センサＳＲ（図１２を参照）を挿通させることが可能な２つの第１センサ挿入穴６３，６３が電飾ランプ基板５５のセンサ切欠き部５８，５８と重なるように形成される。リアカバー６０の後部には、リール表示窓５２ａ，５２ｂ，５２ｃを通じたスロットマシンＳＭ１の内部の視界を限定するための後方壁部６４が長方形枠状に形成されている。
【００１７】
ランプハウス７０は、図６〜図８に示すように、樹脂材料を用いて前方に開口部７１を有するトレイ状に形成される。ランプハウス７０の左側には、第１リール表示窓５２ａを構成する第１窓穴部７２ａが矩形筒状に前後方向に延びて形成される。ランプハウス７０の中央部には、第２リール表示窓５２ｂを構成する第２窓穴部７２ｂが矩形筒状に前後方向に延びて形成される。ランプハウス７０の右側には、第３リール表示窓５２ｃを構成する第３窓穴部７２ｃが矩形筒状に前後方向に延びて形成される。第１〜第３窓穴部７２ａ〜７２ｃはそれぞれ、断面形状が略長方形の角穴状に形成され、図１３〜図１６に示すように、前方から後方に向かうにつれて断面形状の幅および高さが大きくなるように内面が傾斜している。
【００１８】
第１窓穴部７２ａの左内側面は、図１３に示すように、ランプユニット５０の前方における所定の基準位置ＥＰから放射状に延びる線に沿って傾斜するように形成される。第２窓穴部７２ｂの左内側面および右内側面は、図１４に示すように、所定の基準位置ＥＰから放射状に延びる線に沿って傾斜するように形成される。第３窓穴部７２ｃの右内側面は、図１３に示すように、所定の基準点ＥＰから放射状に延びる線に沿って傾斜するように形成される。本実施形態において、所定の基準点ＥＰとは、スロットマシンＳＭ１を用いて遊技を行う遊技者の視点（アイポイント）として設定される基準点である。なお、３つの窓穴部７２ａ，７２ｂ，７２ｃの後端部はそれぞれ、３つのリール１２ａ，１２ｂ，１２ｃの幅とほぼ同じ幅になるように形成される。
【００１９】
ランプハウス７０の底部下側には、２つのＡＴ報知用ＬＥＤランプ５９ａ，５９ａをそれぞれランプハウス７０の内側に露出させるＡＴ報知用ランプ取付穴７３，７３（図８を参照）が形成される。また、ランプハウス７０の底部には、多数の電飾用ＬＥＤランプ５９ｂ，５９ｂ，…をそれぞれランプハウス７０の内側に露出させる電飾用ランプ取付穴７４，７４，…が形成される。
【００２０】
図７に示すように、ランプハウス７０の内側には、ランプハウス７０の内部空間を区分けする区画リブ７５が形成される。ランプハウス７０の内部空間の下端部には、区画リブ７５によって矩形のＡＴ報知区画部７６ａ，７６ａが区画形成され、このＡＴ報知区画部７６ａにＡＴ報知用ＬＥＤランプ５９ａが１個ずつ収容される。また、ＡＴ報知区画部７６ａに挿入規制部材９０が収容されて取り付けられるようになっている。
【００２１】
ランプハウス７０の内部空間の左右上側には、区画リブ７５によって矩形の第１電飾区画部７６ｂ，７６ｂが区画形成され、この第１電飾区画部７６ｂに電飾用ＬＥＤランプ５９ｂが４個ずつ収容される。ランプハウス７０の内部空間の左右下側には、区画リブ７５によって矩形の第２電飾区画部７６ｃ，７６ｃが区画形成され、この第２電飾区画部７６ｃに電飾用ＬＥＤランプ５９ｂが４個ずつ収容される。ランプハウス７０の内部空間の中央上側には、区画リブ７５によって矩形の第４電飾区画部７６ｄが区画形成され、この第４電飾区画部７６ｄに電飾用ＬＥＤランプ５９ｂが９個収容される。ランプハウス７０の内部空間の中央下側には、区画リブ７５によって矩形の第５電飾区画部７６ｅが区画形成され、この第５電飾区画部７６ｅに電飾用ＬＥＤランプ５９ｂが５個収容される。ランプハウス７０の内部空間の中央部には、区画リブ７５によって円形の第６電飾区画部７６ｆが形成され、この第６電飾区画部７６ｆに電飾用ＬＥＤランプ５９ｂが１０個収容される。
【００２２】
また、図８に示すように、ランプハウス７０の底部下側には、ＡＴ報知用ランプ取付穴７３，７３から左方（ランプユニット５０の後側から見て右方）に繋がって延びる第２センサ挿入穴７７，７７が形成されており、光センサＳＲ（図１２を参照）をランプユニット５０の外側後方からランプハウス７０内のＡＴ報知区画部７６ａに挿入することができるようになっている。また、ランプハウス７０の底部下側には、第２センサ挿入穴７７，７７から左方に延びて後方に傾斜するガイド穴部７８，７８が、電飾ランプ基板５５のセンサ切欠き部５８，５８と重なるように形成される。これにより、第２センサ挿入穴７７，７７は、光センサＳＲを前面扉２０の左側（前面扉２０の後側から見て右側）から、すなわち前面扉２０の揺動中心の側からランプハウス７０の内部に挿入可能な向きに形成されることになる。ランプハウス７０の底部におけるＡＴ報知用ランプ取付穴７３の右方（ランプユニット５０の後側から見て左方）には、挿入規制部材９０の第１係合爪部９１ａと係合可能な第１係合穴部７９ａが形成される。ランプハウス７０の底部における第２センサ挿入穴７７とガイド穴部７８との境界部近傍には、挿入規制部材９０の第２係合爪部９１ｂと係合可能な第２係合穴部７９ｂが形成される。
【００２３】
インナーカバー８０は、図６に示すように、透光性を有する樹脂材料を用いて薄い板状に形成され、ランプハウス７０の開口部７１を覆ってランプハウス７０の前部に取り付けられる。インナーカバー８０には、所定の装飾が印刷もしくは形成された装飾部８１が形成される。インナーカバー８０の左側には、第１リール表示窓５２ａを構成する第１窓穴部８２ａが形成される。インナーカバー８０の中央部には、第２リール表示窓５２ｂを構成する第２窓穴部８２ｂが形成される。インナーカバー８０の右側には、第３リール表示窓５２ｃを構成する第３窓穴部８２ｃが形成される。なお、インナーカバー８０の窓穴部８２ａ，８２ｂ，８２ｃは、ランプハウス７０の窓穴部７２ａ，７２ｂ，７２ｃの前端部とほぼ同じ大きさに形成される。アウターカバー８５は、透明の樹脂材料を用いて薄い板状に形成され、前面扉２０の上部とインナーカバー８０とに挟まれるようにして、インナーカバー８０の前面に重ねて取り付けられる。
【００２４】
挿入規制部材９０は、ランプハウス７０のＡＴ報知区画部７６ａに収容され、図１２に示すように、ランプハウス７０のＡＴ報知区画部７６ａにおける所定の挿入位置を越えた光センサＳＲの挿入を規制する。本実施形態において、所定の挿入位置とは、ＡＴ報知区画部７６ａに挿入された光センサＳＲが（ＡＴ報知用ＬＥＤランプ５９ａの発光を妨げることなく）ＡＴ報知用ＬＥＤランプ５９ａに近接する位置である。挿入規制部材９０は、図７および図９に示すように、透明の樹脂材料を用いて板状に形成される。挿入規制部材９０の右端部には、ランプハウス７０の第１係合穴部７９ａと係合可能な第１係合爪部９１ａが形成される。挿入規制部材９０の左端部には、ランプハウス７０の第２係合穴部７９ｂと係合可能な第２係合爪部９１ｂが形成される。第１係合爪部９１ａと第１係合穴部７９ａとが係合するとともに、第２係合爪部９１ｂと第２係合穴部７９ｂとが係合する状態で、挿入規制部材９０がランプハウス７０のＡＴ報知区画部７６ａに収容されて取り付けられる。挿入規制部材９０の中央部には、ＡＴ報知用ＬＥＤランプ５９ａと対向する平板状のランプ透光部９３と、ランプ透光部９３の左方において光センサＳＲが係止な穴状に曲げられた係止穴部９４とが形成されている。
【００２５】
以上のように構成されるランプユニット５０おいて、副制御装置３５から電飾ランプ基板５５に所定の演出態様に応じたランプ制御信号が送信される。電飾ランプ基板５５は、副制御装置３５から送信されたランプ制御信号に応じて、電飾用ＬＥＤランプ５９ｂ，５９ｂ，…の発光制御を行う。電飾用ＬＥＤランプ５９ｂ，５９ｂ，…で発光した光は、ランプハウス７０の内部空間を通ってインナーカバー８０およびアウターカバー８５を透過し、インナーカバー８０の装飾部８１において所定の装飾が発光表示される。本実施形態では、区画リブ７５によってランプハウス７０の内部空間が第１〜第６電飾区画部７６ｂ〜７６ｆに区分けされているため、インナーカバー８０の装飾部８１を全体的に発光させるだけでなく、装飾部８１を部分的に発光させることが可能である。
【００２６】
また、遊技者に有利な情報をガイドランプ（図示せず）等により報知するいわゆるＡＴ（アシスト・タイム）と称される特定の遊技状態になると、副制御装置３５から電飾ランプ基板５５にランプ制御信号が送信される。電飾ランプ基板５５は、副制御装置３５から送信されたランプ制御信号に応じて、ＡＴ報知用ＬＥＤランプ５９ａ，５９ａの発光制御を行う。ＡＴ報知用ＬＥＤランプ５９ａ，５９ａで発光した光は、ランプハウス７０のＡＴ報知区画部７６ａ，７６ａを通ってインナーカバー８０およびアウターカバー８５を透過し、インナーカバー８０の装飾部８１において所定の装飾が発光表示される。本実施形態では、区画リブ７５によってランプハウス７０の内部にＡＴ報知区画部７６ａ，７６ａが区画形成されているため、ＡＴと称される遊技状態である旨を明確に発光表示させることができる。
【００２７】
ランプユニット５０には、前述したように、ランプハウス７０の窓穴部７２ａ，７２ｂ，７２ｃとインナーカバー８０の窓穴部８２ａ，８２ｂ，８２ｃとから構成される３つのリール表示窓５２ａ，５２ｂ，５２ｃが形成されている。スロットマシンＳＭ１の遊技者は、ランプユニット５０での発光表示を視認しつつ、３つのリール表示窓５２ａ，５２ｂ，５２ｃを通して３つのリール１２ａ，１２ｂ，１２ｃに描かれている図柄を視認することができる。なお、ランプユニット５０が発光する際、インナーカバー８０の窓穴部８２ａ，８２ｂ，８２ｃから漏れ出た光によって３つのリール１２ａ，１２ｂ，１２ｃを照明することも可能である。
【００２８】
また、スロットマシンＳＭ１の管理者は、ＡＴと称される遊技状態を独自に把握するために、スロットマシンＳＭ１の外部装置（例えば、不図示のホールコンピュータ等）に接続される光センサＳＲをランプユニット５０に取り付けることができる。ランプユニット５０に光センサＳＲを取り付けるには、光センサＳＲをランプユニット５０（前面扉２０）の後方からリアカバー６０の第１センサ挿入穴６３に挿通させる。そうすると、光センサＳＲは、リアカバー６０の第１センサ挿入穴６３および電飾ランプ基板５５のセンサ切欠き部５８を通ってランプハウス７０のガイド穴部７８に当接する。ランプハウス７０のガイド穴部７８に当接した光センサＳＲは、ガイド穴部７８の傾斜面に案内されつつ右前方（ランプユニット５０の後側から見て左前方）に進み、ランプハウス７０の第２センサ挿入穴７７を通ってＡＴ報知区画部７６ａにおける電飾ランプ基板５５の前面側に挿入される。このとき、ランプハウス７０のＡＴ報知区画部７６ａに挿入された光センサＳＲは、図１２に示すように、ＡＴ報知用ＬＥＤランプ５９ａに近接する所定の挿入位置において挿入規制部材９０の係止穴部９４に係止し、所定の挿入位置を越えた光センサＳＲの挿入が規制される。これにより、光センサＳＲがＡＴ報知用ＬＥＤランプ５９ａ等を破損させることなくランプハウス７０のＡＴ報知区画部７６ａに挿入され、光センサＳＲによってＡＴ報知用ＬＥＤランプ５９ａで発光する光を、すなわち、ＡＴと称される遊技状態である旨を検出することが可能となる。
【００２９】
［第１実施形態における特徴構成］
［ランプユニットの特徴構成］
第１実施形態において、ランプユニット５０の窓穴部７２ａ，７２ｂ，７２ｃは、ランプユニット５０の前方における所定の基準点ＥＰから放射状に延びる線に沿って形成されている。これにより、リール表示窓５２ａ，５２ｂ，５２ｃの後端部（リール側の端部）を大きくしてリール１２ａ，１２ｂ，１２ｃの視認性を妨げることなく、リール表示窓５２ａ，５２ｂ，５２ｃの前端部（遊技者側の端部）を小さくしてランプユニット５０の前面におけるリール表示窓５２ａ，５２ｂ，５２ｃ以外の領域を大きくすることができ、ランプユニット５０の発光面積を大きくすることができる。そのため、リール１２ａ，１２ｂ，１２ｃの視認性を妨げることなく、ランプユニット５０の装飾性を高めることが可能となり、省スペースでスロットマシンＳＭ１の装飾性をより高めることができる。
【００３０】
また、ランプユニット５０の３つの窓穴部７２ａ，７２ｂ，７２ｃがそれぞれ、所定の基準点ＥＰから放射状に延びる線に沿って形成されている。このように、複数のリール表示窓５２ａ，５２ｂ，５２ｃの前端部（遊技者側の端部）を小さくすると、ランプユニット５０の前面におけるリール表示窓５２ａ，５２ｂ，５２ｃ以外の領域を効果的に大きくすることができ、ランプユニット５０の発光面積を効果的に大きくすることができる。そのため、リール１２ａ，１２ｂ，１２ｃの視認性を妨げることなく、ランプユニット５０の装飾性を効果的に高めることが可能となり、省スペースでスロットマシンＳＭ１の装飾性をより高めることができる。
【００３１】
また、所定の基準点ＥＰが、遊技者の視点（アイポイント）として設定される基準点であれば、リール１２ａ，１２ｂ，１２ｃの視認性をより妨げることなく、ランプユニット５０の装飾性を高めることが可能となり、省スペースでスロットマシンＳＭ１の装飾性をより高めることができる。
【００３２】
［挿入規制部材の特徴構成］
第１実施形態において、ランプハウス７０のＡＴ報知区画部７６ａに、所定の挿入位置を越えた光センサＳＲの挿入を規制する挿入規制部材９０が設けられている。これにより、ＡＴ報知用ＬＥＤランプ５９ａ等を破損させることなく、ランプユニット５０に光センサＳＲを容易に取り付けることができる。
【００３３】
また、挿入規制部材９０は、ＡＴ報知用ＬＥＤランプ５９ａに近接する所定の挿入位置まで挿入された光センサＳＲが係止穴部９４に係止可能に構成される。これにより、ランプユニット５０においてＡＴ報知用ＬＥＤランプ５９ａで発光する光を検出しやすい位置に光センサＳＲを容易に取り付けることができる。
【００３４】
また、ランプハウス７０の第２センサ挿入穴７７は、ランプハウス７０の後側において、光センサＳＲを前面扉２０の揺動中心の側から挿入可能な向きに形成される。これにより、光センサＳＲから延びるハーネスを、前面扉２０の揺動中心の側からスロットマシンＳＭ１の外部に容易に引き出すことができるため、ランプユニット５０に光センサＳＲをより容易に取り付けることができる。
【００３５】
上述の第１実施形態において、ランプユニット５０は、ＡＴと称される遊技状態である旨の発光表示を行っているが、これに限られるものではなく、通常の遊技状態と異なる所定の遊技状態である旨の発光表示を行うことが可能である。例えば、リプレイに当選する確率が通常よりも高い状態であるＲＴ（リプレイ・タイム）と称される遊技状態である旨の発光表示を行うようにしてもよく、ＡＴとＲＴとを組み合わせたいわゆるＡＲＴ（アシスト・リプレイ・タイム）と称される遊技状態である旨の発光表示を行うようにしてもよい。また例えば、ボーナスに当選した遊技状態である旨の発光表示を行うようにしてもよい。また、ランプユニット５０に、ＡＴ報知用ＬＥＤランプ５９ａが２つ設けられているが、これに限られるものではなく、１つだけ設けられる構成であってもよい。また、複数の報知用ＬＥＤランプがそれぞれ異なる種類の遊技状態（ＡＴ、ＲＴ、ＡＲＴ、ボーナス等）である旨の発光表示を行うようにしてもよい。
【００３６】
上述の第１実施形態において、ランプハウス７０の第１〜第３窓穴部７２ａ〜７２ｃにおける左右の内側面が、所定の基準位置ＥＰから放射状に延びる線に沿って傾斜するように形成されているが、これに限られるものではなく、ランプハウス７０の第１〜第３窓穴部７２ａ〜７２ｃにおける上下の内側面が、所定の基準位置ＥＰから放射状に延びる線に沿って傾斜するように形成されてもよい。
【００３７】
［第２実施形態］
次に、遊技機の第２実施形態について説明する。まず、図１７〜図１８を参照しながら、遊技機の第２実施形態としてスロットマシンＳＭ２の概要について説明する。なお、第２実施形態において、図１７の各矢印で示す方向をそれぞれ、上下方向、前後方向、左右方向として説明する。第２実施形態のスロットマシンＳＭ２は、箱状の基体部１１０と、前面扉１２０とを主体に構成される。基体部１１０は前方に開口部１１０ａを有する箱状に形成され、基体部１１０の前部に前面扉１２０が取り付けられる。前面扉１２０は、ヒンジ機構１０５ａ，１０５ｂを用いて基体部１１０の左前部に枢支され、基体部１１０の開口部１１０ａを揺動開閉可能に構成される。
【００３８】
図１８にも示すように、基体部１１０の内部中央には、４つのリール１５２ａ，１５２ｂ，１５２ｃ，１５２ｄを備えるリールユニット１５０が設けられ、前面扉１２０に設けられたリール表示窓１２２を通して４つのリール１５２ａ，１５２ｂ，１５２ｃ，１５２ｄに描かれている図柄を視認することができるようになっている。基体部１１０の内部下側には、スロットマシンＳＭ２に搭載された種々の装置に電源を供給する電源ユニット１１３、およびメダルを貯留しておくホッパー１１４ａを備えるメダル払出装置１１４が設けられている。基体部１１０の内部上側には、主制御装置１１５が設けられている。主制御装置１１５は、リールユニット１５０の作動制御、メダル払出装置１１４の作動制御等、スロットマシンＳＭ２で行われる遊技を全体的に制御する。
【００３９】
図１７に示すように、前面扉１２０には前面枠１２１が形成されており、前面枠１２１の略中央部にリール表示窓１２２が形成されている。前面扉１２０の前面側中央には、リール表示窓１２２の下方に位置して操作パネル１２３が設けられている。操作パネル１２３の前面側には、スタートスイッチ１２４、および３つのストップスイッチ１２５ａ，１２５ｂ，１２５ｃが設けられている。操作パネル１２３の上面側には、各種ベットスイッチ１２６、各種演出操作スイッチ１２７、およびメダル投入口１２８が設けられている。
【００４０】
前面扉１２０の前面側上部には、所定の演出画像を表示する画像表示装置１３０、および左右のサイドランプ２００，２１０が設けられている。前面扉１２０の前面側下部には、装飾パネル１３３、およびメダル払出装置１４から払い出されたメダルが貯留される受け皿１３４が設けられている。
【００４１】
前面扉１２０が基体部１１０の開口部１１０ａを閉じた状態では、前面扉１２０の後面側が基体部１１０の内部側に位置する。前面扉１２０の後面側には、副制御装置３００（図２８を参照）、左右の上部スピーカーユニット１３６，１３７、および左右の下部スピーカーユニット１３８，１３９が設けられている。副制御装置３００は、画像表示装置１３０の画像制御、左右のサイドランプ２００，２１０の発光制御、各種スピーカーユニット１３６〜１３９の音声制御等、スロットマシンＳＭ２の演出制御を統括的に行う。
【００４２】
［リールユニットの構成］
次に、本実施形態に係るリールユニット１５０について図１７〜図２０を参照して説明する。なお、図１９および図２０において、各リールの外周部分の図示を省略している。リールユニット１５０は、第１〜第４リールモジュール１５１ａ〜１５１ｄと、リールモジュール収容部１６１とを有して構成される。
【００４３】
第１リールモジュール１５１ａは、第１リール１５２ａと、第１バックランプ１５３ａと、不図示のリールモータ（図示せず）と、第１リールブラケット１５５ａとを有して構成される。第１リール１５２ａは、外周部に所定の図柄が描かれた円筒状に形成され、リールモータのモータ軸に結合される。第１バックランプ１５３ａは、第１リール１５２ａの内側に位置して前方を向くように第１リールブラケット１５５ａに取り付けられ、図柄が描かれた第１リール１５２ａの外周部を内側から照明可能に構成される。リールモータは、詳細な図示を省略するが、第１リール１５２ａとともに第１リールブラケット１５５ａに取り付けられ、第１リール１５２ａを回転駆動するようになっている。第１リールブラケット１５５ａは、樹脂材料を用いて板状に形成され、第１リールブラケット１５５ａの左側面に、第１バックランプ１５３ａおよびリールモータがそれぞれ取り付けられるようになっている。
【００４４】
第１バックランプ１５３ａは、バックランプハウス１７１と、バックランプ基板１７２とを有して構成される。バックランプ基板１７２の前面に、２列の白色ＬＥＤランプ１７３と、１列の紫外線ＬＥＤランプ１７４とが配設される。紫外線ＬＥＤランプ１７４は、２列の白色ＬＥＤランプ１７３の間に配置され、紫外光を発光するようになっている。バックランプ基板１７２は、バックランプハウス１７１の後側に取り付けられ、バックランプハウス１７１の前側に白色ＬＥＤランプ１７３および紫外線ＬＥＤランプ１７４が収容されるようになっている。これにより、第１リール１５２ａの外周部を白色ＬＥＤランプ１７３の可視光もしくは紫外線ＬＥＤランプ１７４の紫外光で照明することが可能になる。第１リール１５２ａの外周部に描かれる図柄には、紫外光の照射により励起発光する蛍光塗料で描かれた特殊図柄（図示せず）がある。この特殊図柄は、第１リール１５２ａの外周部を白色ＬＥＤランプ１７３の可視光で照明したときに遊技者に視認されないが、第１リール１５２ａの外周部を紫外線ＬＥＤランプ１７４の紫外光で照明したときに発光して遊技者に視認されるようになっている。
【００４５】
なお、バックランプ基板１７２には、紫外線ＬＥＤランプ１７４と回路接続されたポリスイッチ（図示せず）が実装されている。ポリスイッチは、紫外線ＬＥＤランプ１７４等の発熱に伴ってポリスイッチの温度が所定の温度より高くなると、ポリスイッチの抵抗値が増大して紫外線ＬＥＤランプ１７４へ流れる電流を制限するように構成されている。紫外線ＬＥＤランプ１７４は、白色ＬＥＤランプ１７３よりも電流が多く流れて発熱しやすいため、ポリスイッチを設けることにより第１バックランプ１５３ａの温度上昇を抑えることができる。
【００４６】
第２リールモジュール１５１ｂは、第１リールモジュール１５１ａと同様に、第２リール１５２ｂと、第２バックランプ１５３ｂと、不図示のリールモータ（図示せず）と、第２リールブラケット１５５ｂとを有して構成される。第２リール１５２ｂおよびリールモータは、図柄が異なる（特殊図柄が描かれていない）他は、第１リール１５２ａと同様に構成される。第２バックランプ１５３ｂは、紫外線ＬＥＤランプおよびポリスイッチを有していない他は、第１バックランプ１５３ａと同様に構成される。第２リールブラケット１５５ｂは、第１リールブラケット１５５ａと同様に構成される。
【００４７】
第３リールモジュール１５１ｃは、第１リールモジュール１５１ａと同様に、第３リール１５２ｃと、第３バックランプ１５３ｃと、不図示のリールモータ（図示せず）と、第３リールブラケット１５５ｃとを有して構成される。第３リール１５２ｃおよびリールモータは、図柄が異なる（特殊図柄が描かれていない）他は、第１リール１５２ａと同様に構成される。第３バックランプ１５３ｃは、紫外線ＬＥＤランプおよびポリスイッチを有していない他は、第１バックランプ１５３ａと同様に構成される。第３リールブラケット１５５ｃは、第１リールブラケット１５５ａと同様に構成される。
【００４８】
第４リールモジュール１５１ｄは、第１リールモジュール１５１ａと同様に、第４リール１５２ｄと、第４バックランプ１５３ｄと、不図示のリールモータ（図示せず）と、第４リールブラケット１５５ｄとを有して構成される。第４リール１５２ｄおよびリールモータは、図柄が異なる（特殊図柄が描かれていない）他は、第１リール１５２ａと同様に構成される。第４バックランプ１５３ｄは、紫外線ＬＥＤランプおよびポリスイッチを有していない他は、第１バックランプ１５３ａと同様に構成される。第４リールブラケット１５５ｄは、第１リールブラケット１５５ａと同様に構成される。
【００４９】
［サイドランプの構成］
次に、本実施形態に係る左右のサイドランプ２００，２１０について図２１〜図２７を参照して説明する。なお、左右のサイドランプ２００，２１０は、互いに左右対称（面対称）で同様の構成であるため、左サイドランプ２００の詳細な説明を省略し、右サイドランプ２１０について詳細な説明を行う。右サイドランプ２１０は、図２１および図２２に示すように、ランプホルダ２２０と、ランプモジュール２３０とを主体に構成される。
【００５０】
ランプホルダ２２０は、樹脂材料を用いて前側が開口した箱状に形成される。ランプホルダ２２０は、ランプモジュール２３０を収容保持して前面扉１２０における前面枠１２１の右側部に前方を向いて取り付けられる。ランプホルダ２２０の後面部下側に、ランプモジュール２３０のガイドピン２５６がスライド移動可能に係合可能な第１ガイド穴部２２１が形成される。ランプホルダ２２０の後面部上側に、ランプモジュール２３０のガイド片２５７がスライド移動可能に係合可能な第２ガイド穴部２２２が形成される。
【００５１】
ランプモジュール２３０は、図２３および図２４に示すように、サイドランプ基板２３１と、第１ランプハウス２４１と、第２ランプハウス２５１と、第１拡散シート２６１と、第２拡散シート２７１と、ランプカバー２８１とを有して構成される。なお、図２３はランプモジュール２３０を右前方上側から見た分解斜視図であり、図２４はランプモジュール２３０を左前方下側から見た分解斜視図である。サイドランプ基板２３１は、図２５および図２６に示すように、プリント基板２３２と、プリント基板２３２の一方の実装面（以下、第１実装面２３２ａと称する）に配設された複数の第１電飾用ＬＥＤランプ２３３，２３３，…および発光制御素子２３５，２３５，…と、プリント基板２３２の他方の実装面（以下、第２実装面２３２ｂと称する）に配設された複数の第２電飾用ＬＥＤランプ２３８，２３８，…とを有して構成される。サイドランプ基板２３１は、副制御装置３００と電気的に接続され、副制御装置３００から送信されたランプ制御信号に応じて、発光制御素子２３５，２３５，…により第１電飾用ＬＥＤランプ２３３，２３３，…および第２電飾用ＬＥＤランプ２３８，２３８，…の発光制御を行う。
【００５２】
サイドランプ基板２３１のプリント基板２３２は、上下方向に長く伸びる細い板状に形成される。第１電飾用ＬＥＤランプ２３３，２３３，…は、プリント基板２３２の第１実装面２３２ａに上下方向に３列に並んで配設される。第２電飾用ＬＥＤランプ２３８，２３８，…は、プリント基板２３２の第２実装面２３２ｂに上下方向に３列に並んで配設される。第１電飾用ＬＥＤランプ２３３，２３３，…と第２電飾用ＬＥＤランプ２３８，２３８，…は、互いにプリント基板２３２に対して対称的な略同一位置に配置される。
【００５３】
第１電飾用ＬＥＤランプ２３３は、フルカラーＬＥＤランプであり、図２７（ａ）に示すように、第１赤色ランプ２３３Ｒと、第１緑色ランプ２３３Ｇと、第１青色ランプ２３３Ｂとから構成される。第２電飾用ＬＥＤランプ２３８は、フルカラーＬＥＤランプであり、図２７（ｂ）に示すように、第２赤色ランプ２３８Ｒと、第２緑色ランプ２３８Ｇと、第２青色ランプ２３８Ｂとから構成される。なお、図２７（ａ）は第１電飾用ＬＥＤランプ２３３をプリント基板２３２の第１実装面２３２ａ側から見た図であり、図２７（ｂ）は第２電飾用ＬＥＤランプ２３８を第１実装面２３２ａ側から見た図である。
【００５４】
第２実装面２３２ｂにおいて第２緑色ランプ２３８Ｇから延びる第２緑色用配線２３９Ｇは、プリント基板２３２を貫通する緑色用接点部２３６Ｇにおいて第１緑色用配線２３４Ｇと繋がるようになっている。第１実装面２３２ａにおいて第１緑色ランプ２３３Ｇから延びる第１緑色用配線２３４Ｇは、第１実装面２３２ａに配設された発光制御素子２３５と繋がるようになっている。第２実装面２３２ｂにおいて第２青色ランプ２３８Ｂから延びる第２青色用配線２３９Ｂは、プリント基板２３２を貫通する青色用接点部２３６Ｂにおいて第１青色用配線２３４Ｂと繋がるようになっている。第１実装面２３２ａにおいて第１青色ランプ２３３Ｂから延びる第１青色用配線２３４Ｂは、第１実装面２３２ａに配設された発光制御素子２３５と繋がるようになっている。第１実装面２３２ａにおいて第１赤色ランプ２３３Ｒから延びる第１赤色用配線２３４Ｒは、プリント基板２３２を貫通する赤色用接点部２３６Ｒにおいて第２赤色用配線２３９Ｒと繋がるようになっている。第２実装面２３２ｂにおいて第２赤色ランプ２３８Ｒから延びる第２赤色用配線２３９Ｒは、途中でプリント基板２３２を貫通して第１実装面２３２ａに達するようになっている。第１実装面２３２ａに達した第２赤色用配線２３９Ｒ´は、第１実装面２３２ａに配設された発光制御素子２３５と繋がるようになっている。
【００５５】
これにより、発光制御素子２３５から延びる１組の配線が２つの電飾用ＬＥＤランプ２３３，２３８と繋がるため、発光制御素子２３５の１組のポートで２つの電飾用ＬＥＤランプ２３３，２３８の発光制御を行うことができる。また、第１電飾用ＬＥＤランプ２３３と第２電飾用ＬＥＤランプ２３８は、互いにプリント基板２３２に対して対称的な略同一位置に配置されるため、配線パターンを容易にまとめることができ、配線パターンが複雑にならずに、発光制御素子２３５の１組のポートで２つの電飾用ＬＥＤランプ２３３，２３８の発光制御を行うことが可能になる。
【００５６】
第１ランプハウス２４１と第２ランプハウス２５１は、透光性を有する樹脂材料を用いて、互いに略左右対称に上下方向に延びて形成され、第１ランプハウス２４１と第２ランプハウス２５１とが結合されて形成されるランプ収容空間内に、サイドランプ基板２３１を前面扉１２０の前面に対して略直角な向きに保持して収容するようになっている。なおこのとき、サイドランプ基板２３１は、プリント基板２３２の第１実装面２３２ａが前面扉１２０の右端部側を向くとともに、第２実装面２３２ｂが前面扉１２０の中心側（左側）を向くように保持される。サイドランプ基板２３１を収容した第１ランプハウス２４１および第２ランプハウス２５１は、第１拡散シート２６１および第２拡散シート２７１とともにランプカバー２８１の内側に結合される。
【００５７】
第１ランプハウス２４１は、前面扉１２０の右端部側に配置され、サイドランプ基板２３１の第１実装面２３２ａを覆って第２ランプハウス２５１およびサイドランプ基板２３１と結合されるようになっている。第１ランプハウス２４１の側部には、サイドランプ基板２３１の第１実装面２３２ａに対して前方から後方に向けて間隔が拡がるように傾斜して、第１電飾用ＬＥＤランプ２３３で発光した光を透過させる第１透光部２４２が形成される。第１透光部２４２の内側には、３列に並ぶ複数の第１電飾用ＬＥＤランプ２３３，２３３，…に沿って上下方向に延びる３本の第１溝部２４３，２４３，２４３が形成されている。また、第１ランプハウス２４１の後部には、ランプホルダ２２０の後面部に当接可能な第１ホルダ当接部２４４が形成される。
【００５８】
第２ランプハウス２５１は、前面扉１２０の中心側に配置され、サイドランプ基板２３１の第２実装面２３２ｂを覆って第１ランプハウス２４１およびサイドランプ基板２３１と結合されるようになっている。第２ランプハウス２５１の側部には、サイドランプ基板２３１の第２実装面２３２ｂに対して前方から後方に向けて間隔が拡がるように傾斜して、第２電飾用ＬＥＤランプ２３８で発光した光を透過させる第２透光部２５２が形成される。第２透光部２５２の内側には、３列に並ぶ複数の第２電飾用ＬＥＤランプ２３８，２８３，…に沿って上下方向に延びる３本の第２溝部２５３，２５３，２５３が形成されている。また、第２ランプハウス２５１の後部には、ランプホルダ２２０の後面部に当接可能な第２ホルダ当接部２５４が形成される。第２ホルダ当接部２５４の下側に、ランプホルダ２２０の第１ガイド穴部２２１に係合可能なガイドピン２５６が形成される。第２ホルダ当接部２５４の上側に、ランプホルダ２２０の第２ガイド穴部２２２に係合可能なガイド片２５７が形成される。
【００５９】
第１拡散シート２６１および第２拡散シート２７１は、透光性を有する樹脂材料を用いて、互いに略左右対称に上下方向に延びる薄板状に形成される。第１拡散シート２６１は、第１ランプハウス２４１とランプカバー２８１との間に収容され、第１ランプハウス２４１の第１透光部２４２を透過した光を拡散させる。第２拡散シート２７１は、第２ランプハウス２５１とランプカバー２８１との間に収容され、第２ランプハウス２５１の第２透光部２５２を透過した光を拡散させる。
【００６０】
ランプカバー２８１は、透光性を有する樹脂材料を用いて、後側が開口して上下方向に延びる箱状に形成される。ランプカバー２８１の内側に、第１拡散シート２６１および第２拡散シート２７１とともに、サイドランプ基板２３１を収容した第１ランプハウス２４１および第２ランプハウス２５１が結合される。このとき、第１ランプハウス２４１の第１透光部２４２および第２ランプハウス２５１の第２透光部２５２は、第１拡散シート２６１および第２拡散シート２７１とともに、ランプカバー２８１の内部に収容される。一方、第１ランプハウス２４１の第１ホルダ当接部２４４および第２ランプハウス２５１の第２ホルダ当接部２５４は、ランプカバー２８１の後方に露出する。
【００６１】
右サイドランプ２１０を組み立てるには、まず、サイドランプ基板２３１を挟むようにして第１ランプハウス２４１と第２ランプハウス２５１とを結合させる。次に、第１拡散シート２６１および第２拡散シート２７１をそれぞれ、ランプカバー２８１の後方から左右の内側面に挿入する。この状態で、サイドランプ基板２３１を収容した第１ランプハウス２４１および第２ランプハウス２５１を、ランプカバー２８１の後方から内側に挿入し、第１拡散シート２６１および第２拡散シート２７１を挟むようにしてランプカバー２８１に結合する。次に、このようにして組み立てたランプモジュール２３０を前方からランプホルダ２２０に挿入し、第１ランプハウス２４１の第１ホルダ当接部２４４および第２ランプハウス２５１の第２ホルダ当接部２５４をランプホルダ２２０の後面部に当接させて、第２ホルダ当接部２５４のガイドピン２５６をランプホルダ２２０の第１ガイド穴部２２１に係合させるとともに、第２ホルダ当接部２５４のガイド片２５７をランプホルダ２２０の第２ガイド穴部２２２に係合させる。この状態で、ランプモジュール２３０をランプホルダ２２０に対して延伸方向にスライド移動させることにより、ランプモジュール２３０がランプホルダ２２０に収容される。そして、ネジ等の固定部材（図示せず）を用いてランプモジュール２３０をランプホルダ２２０に対して固定することにより、ランプモジュール２３０がランプホルダ２２０に収容保持される。このようにすれば、ランプモジュール２３０をランプホルダ２２０に対して容易に組み付けることができ、右サイドランプ２１０を容易に組み立てることができる。
【００６２】
以上のように構成される右サイドランプ２１０において、副制御装置３００からサイドランプ基板２３１に所定の演出態様に応じたランプ制御信号が送信される。サイドランプ基板２３１は、副制御装置３００から送信されたランプ制御信号に応じて、発光制御素子２３５，２３５，…により第１電飾用ＬＥＤランプ２３３，２３３，…および第２電飾用ＬＥＤランプ２３８，２３８，…の発光制御を行う。第１電飾用ＬＥＤランプ２３３，２３３，…で発光した光は、第１ランプハウス２４１側のランプ収容空間を右方に進んで第１ランプハウス２４１の第１透光部２４２を透過する。第１透光部２４２を透過する光は、前方に屈折して第１拡散シート２６１に達する。一方、第２電飾用ＬＥＤランプ２３８，２３８，…で発光した光は、第２ランプハウス２５１側のランプ収容空間を左方に進んで第２ランプハウス２５１の第２透光部２５２を透過する。第２透光部２５２を透過する光は、前方に屈折して第２拡散シート２７１に達する。第１拡散シート２６１および第２拡散シート２７１に達した光は、第１拡散シート２６１および第２拡散シート２７１において拡散されてランプカバー２８１を透過し、右サイドランプ２１０（ランプモジュール２３０）の左右の側面部が発光する。
【００６３】
なおこのとき、第１拡散シート２６１および第２拡散シート２７１において、第１電飾用ＬＥＤランプ２３３および第２電飾用ＬＥＤランプ２３８からの光束が複数の光束に拡散するため、少数の電飾用ＬＥＤランプを用いて、より多数の電飾用ＬＥＤランプを発光させた場合と同様の電飾効果を得ることができる。また、第１ランプハウス２４１の第１透光部２４２に第１溝部２４３が形成され、第２ランプハウス２５１の第２透光部２５２に第２溝部２５３されており、第１透光部２４２および第２透光部２５２において部分的に光の透過率が異なるようになっている。そのため、右サイドランプ２１０が発光する際に線状の明暗が生じ、右サイドランプ２１０の装飾性を高めることができる。
【００６４】
［副制御装置の構成］
次に、本実施形態に係る副制御装置３００について図２８〜図３１を参照して説明する。副制御装置３００は、図２８に示すように、副制御基板３１０と、副制御基板３１０を収容する副基板ケース３３０とを主体に構成された基板ケースユニットである。副制御基板３１０は、サブメイン基板３１１と、サブサブ基板３２１とから構成される。サブメイン基板３１１は、主制御装置（主制御基板）１１５からの出力情報（コマンドデータ）に基づいて、演出抽選など演出決定処理を行う。サブサブ基板３２１は、サブメイン基板３１１からの出力コマンドに基づいて、画像表示装置１３０等を作動させる演出制御処理を行う。
【００６５】
サブメイン基板３１１は、図３０に示すように、サブメインＣＰＵ（Central  Processing  Unit）、拡張ワークＲＡＭ（Random  Access  Memory）、プログラムＲＯＭ（Read  Only  Memory）３１３等の電子部品（電子素子）と、接続コネクタ３１４等の電気部品と、これらが実装されるプリント基板３１２とから構成される。サブメイン基板３１１の左上部（副制御装置３００の後側から見て右上部）に、通信ケーブルを介して主制御装置（主制御基板）１１５と電気的に接続するための副基板側コネクタ（図示せず）が配設される。サブメイン基板３１１の右端部（副制御装置３００の後側から見て左端部）に、サブサブ基板３２１の接続コネクタ３２４と電気的に接続される接続コネクタ３１４が配設される。サブメイン基板３１１の上端部に、複数の上側コネクタ３１６が配設される。サブメイン基板３１１の下端部に、下側コネクタ３１７が配設される。サブメイン基板３１１の左端部（副制御装置３００の後側から見て右端部）に、複数の左側コネクタ３１８が配設される。
【００６６】
サブサブ基板３２１は、サブサブＣＰＵ、ＶＲＡＭ（Video  RAM）、プログラムＲＯＭ等の電子部品（電子素子）と、接続コネクタ３２４等の電気部品と、これらが実装されるプリント基板３２２とから構成される。サブサブ基板３２１の左端部（副制御装置３００の後側から見て右端部）に、サブメイン基板３１１の接続コネクタ３１４と電気的に接続される接続コネクタ３２４が配設される。サブメイン基板３１１の接続コネクタ３１４とサブサブ基板３２１の接続コネクタ３２４とを接続することにより、サブメイン基板３１１とサブサブ基板３２１とが電気的に接続される。サブサブ基板３２１の右端部（副制御装置３００の後側から見て左端部）に、通信ケーブルを介して画像制御装置（図示せず）と電気的に接続するための画像処理用コネクタ３２５が配設される。また、サブサブ基板３２１の表面上に、演出ＲＯＭ基板３２６および音声基板３２７が略平行に取り付けられてサブサブ基板３２１と電気的に接続されている。
【００６７】
副基板ケース３３０は、図２８および図２９に示すように、副基板ケース本体３４０と、副基板ケース蓋３５０とを有し、副基板ケース本体３４０と副基板ケース蓋３５０とが結合されて形成されるケース内部に、副制御基板３１０を収容可能に構成される。副基板ケース本体３４０は、図３０に示すように、透明の樹脂材料を用いて後側が開口した矩形箱状に形成される。副基板ケース本体３４０の下部に、副基板ケース３３０を前面扉１２０の上部後面側（画像制御装置）に固定するためのロック機構３４１が設けられている。
【００６８】
副基板ケース蓋３５０は、図２８および図２９に示すように、透明の樹脂材料を用いて前側が開口した矩形蓋状に形成される。副基板ケース蓋３５０は、ネジ等の結合部材（図示せず）を用いて、副制御基板３１０を覆うように副基板ケース本体３４０に結合される。副基板ケース蓋３５０には、ネジ等の結合部材（図示せず）が挿通されるとともに第１キャップ部材３９０により塞がれる第１キャップ穴部３５６が複数形成されている。副基板ケース蓋３５０の左上部（副制御装置３００の後側から見て右上部）に、サブメイン基板３１１の左上部に設けられた副基板側コネクタ（図示せず）を露出させる副基板側コネクタ露出部３５１が形成されている。露出した副基板側コネクタは、ネジ等の結合部材（図示せず）および第２キャップ部材３９５を用いてサブメイン基板３１１に取り付けられた副基板側コネクタカバー３６０に覆われるようになっている。
【００６９】
副基板ケース蓋３５０の右端部（副制御装置３００の後側から見て左端部）に、サブサブ基板３２１の右端部に設けられた画像処理用コネクタ３２５を露出させる画像処理用コネクタ露出部３５２が形成されている。露出した画像処理用コネクタ３２５は、ネジ等の結合部材（図示せず）を用いて副基板ケース蓋３５０に取り付けられた画像処理用コネクタカバー３８０に覆われるようになっている。また、副基板ケース蓋３５０の上端部に、サブメイン基板３１１の上端部に設けられた複数の上側コネクタ３１６を露出させる上側コネクタ露出部３５３が形成される。副基板ケース蓋３５０の下端部に、サブメイン基板３１１の下端部に設けられた下側コネクタ３１７を露出させる下側コネクタ露出部３５４が形成される。副基板ケース蓋３５０の左端部（副制御装置３００の後側から見て右端部）に、サブメイン基板３１１の左端部に設けられた複数の左側コネクタ３１８を露出させる左側コネクタ露出部３５５が形成される。
【００７０】
以上のように構成される副制御装置３００において、サブメイン基板３１１のプログラムＲＯＭ３１３は、ＲＯＭカバー３１９に覆われている。ＲＯＭカバー３１９は、図３１に示すように、透明樹脂材料を用いて箱状に形成され、ＲＯＭカバー３１９の内側に凹んで形成されたＲＯＭ収容部３１９ａにプログラムＲＯＭ３１３が収容される。ＲＯＭカバー３１９は、固定ネジ（図示せず）を用いて、プログラムＲＯＭ３１３を覆う状態でプリント基板３１２の表面側にネジ固定される。これにより、ＲＯＭカバー３１９が取り外しにくくなるため、プログラムＲＯＭ３１３に対する不正なアクセスを防止することが可能となり、プログラムＲＯＭ３１３に対する不正行為を防止することができる。また、ＲＯＭ収容部３１９ａは、プログラムＲＯＭ３１３を覆う状態でプログラムＲＯＭ３１３とほぼ同じ高さになるように形成されており、ＲＯＭカバー３１９に覆われたプログラムＲＯＭ３１３だけを浮かせて取り外すことができないようになっている。
【００７１】
［第２実施形態における特徴構成］
［サイドランプの特徴構成］
第２実施形態において、右サイドランプ２１０の第１および第２ランプハウス２４１，２５１は、サイドランプ基板２３１を前面扉１２０の前面に対して略直角な向きに保持して内部に収容し、サイドランプ基板２３１に対して前方から後方に向けて間隔が拡がるように傾斜して第１および第２電飾用ＬＥＤランプ２３３，２３８で発光した光を透過させる第１および第２透光部２４２，２５２を有している。これにより、サイドランプ基板２３１におけるＬＥＤランプの実装面を前方に向けて配置しなくても、サイドランプ基板２３１に対して傾斜する第１および第２透光部２４２，２５２において、第１および第２電飾用ＬＥＤランプ２３３，２３８から左右方向に進む光を前方に屈折させ、右サイドランプ２１０を前方に向けて発光させることができる。そのため、右サイドランプ２１０の発光面積を前後方向に大きくすることが可能になり、省スペースでスロットマシンＳＭ２の装飾性をより高めることができる。
【００７２】
また、第１および第２ランプハウス２４１，２５１における第１および第２透光部２４２，２５２の内側に、第１および第２電飾用ＬＥＤランプ２３３，２３８に沿って上下方向に延びる第１および第２溝部２４３，２５３が形成されている。これにより、第１および第２透光部２４２，２５２において部分的に光の透過率が異なるために、右サイドランプ２１０が発光する際に線状の明暗が生じ、右サイドランプ２１０の装飾性を高めることができる。
【００７３】
また、第１および第２電飾用ＬＥＤランプ２３３，２３８の発光制御を行う発光制御素子２３５が、サイドランプ基板２３１において前面扉１２０の中央側と反対側（右端部側）を向く第１実装面２３２ａに配設されている。これにより、スロットマシンＳＭ２の遊技を行う遊技者側から発光制御素子２３５が視認されにくくなるため、右サイドランプ２１０の装飾性を高めることができる。
【００７４】
なお、左サイドランプ２００は右サイドランプ２１０と左右対称（面対称）で同様の構成である。そのため、左サイドランプ２００についても、上述した右サイドランプ２１０と同様の効果を得ることができる。
【００７５】
また、第２実施形態のスロットマシンＳＭ２に、左右のサイドランプ２００，２１０が設けられているが、これに限られるものではない。例えば、第１実施形態のスロットマシンＳＭ１に設けられる左右のサイドランプ３１，３２として、第２実施形態の左右のサイドランプ２００，２１０を用いるようにしてもよい。また例えば、左右のサイドランプ２００，２１０に限らず、左右のサイドランプ２００，２１０のうちいずれか一方が設けられる構成であってもよく、左右方向に延びる上部ランプが前面扉１２０の前面上部に設けられる構成であってもよい。また、左右のサイドランプ２００，２１０に限らず、上下一対のランプが前面扉１２０の前面に上下方向に離れて設けられてもよく、照明方向の異なる一対のランプが前面扉１２０の前面に離れて設けられる構成であってもよい。
【００７６】
［第３実施形態］
次に、遊技機の第３実施形態について説明する。まず、図３２〜図３４を参照しながら、遊技機の第３実施形態としてスロットマシンＳＭ３の概要について説明する。なお、第３実施形態において、図３２の各矢印で示す方向をそれぞれ、上下方向、前後方向、左右方向として説明する。第３実施形態のスロットマシンＳＭ３は、箱状の基体部４１０と、前面扉４２０とを主体に構成される。基体部４１０は前方に開口部４１０ａを有する箱状に形成され、基体部４１０の前部に前面扉４２０が取り付けられる。前面扉４２０は、ヒンジ機構４０５ａ，４０５ｂを用いて基体部４１０の左前部に枢支され、基体部４１０の開口部４１０ａを揺動開閉可能に構成される。
【００７７】
図３３に示すように、基体部４１０の内部中央には、３つのリール４１２ａ，４１２ｂ，４１２ｃを備えるリールユニット４１１が設けられ、前面扉４２０に設けられたリール表示窓４２２を通して３つのリール４１２ａ，４１２ｂ，４１２ｃに描かれている図柄を視認することができるようになっている。基体部４１０の内部下側には、スロットマシンＳＭ３に搭載された種々の装置に電源を供給する電源ユニット４１３、およびメダルを貯留しておくホッパー４１４ａを備えるメダル払出装置４１４が設けられている。基体部４１０の内部上側には、主制御装置５００が設けられている。主制御装置５００は、リールユニット４１１の作動制御、メダル払出装置４１４の作動制御等、スロットマシンＳＭ３で行われる遊技を全体的に制御する。
【００７８】
図３２に示すように、前面扉４２０には前面枠４２１が形成されており、前面枠４２１の略中央部にリール表示窓４２２が形成されている。前面扉４２０の前面側中央には、リール表示窓４２２の下方に位置して操作パネル４２３が設けられている。操作パネル４２３の前面側には、スタートスイッチ４２４、および３つのストップスイッチ４２５ａ，４２５ｂ，４２５ｃが設けられている。操作パネル４２３の上面側には、各種ベットスイッチ４２６、各種演出操作スイッチ４２７、およびメダル投入口４２８が設けられている。
【００７９】
前面扉４２０の前面側上部には、所定の演出画像を表示する画像表示装置４３０、各種電飾ユニット４５１，４５４，４５７，４６０、および左右のサイドランプ４３１，４３２が設けられている。前面扉４２０の前面側下部には、装飾パネル４３３、およびメダル払出装置４１４から払い出されたメダルが貯留される受け皿４３４が設けられている。
【００８０】
前面扉４２０が基体部４１０の開口部４１０ａを閉じた状態では、前面扉４２０の後面側が基体部４１０の内部側に位置する。図３４に示すように、前面扉４２０の後面側には、副制御装置６００、左右の上部スピーカーユニット４３６，４３７、および左右の下部スピーカーユニット４３８，４３９が設けられている。副制御装置６００は、画像表示装置４３０の画像制御、各種電飾ユニット４５１，４５４，４５７，４６０の発光制御、左右のサイドランプ４３１，４３２の発光制御、各種スピーカーユニット４３６〜４３９の音声制御等、スロットマシンＳＭ３の演出制御を統括的に行う。
【００８１】
［電飾ユニットの構成］
次に、本実施形態に係る各種電飾ユニット４５１，４５４，４５７，４６０について図３５〜図３８を参照して説明する。なお、各種電飾ユニット４５１，４５４，４５７，４６０は同様の構成であるため、これらのうち、第１電飾ユニット４５１、第２電飾ユニット４５４、および第３電飾ユニット４５７の詳細な説明を省略し、第４電飾ユニット４６０について詳細な説明を行う。図３５に示すように、第１電飾ユニット４５１は、前面扉４２０（上部マスクユニット）の左側部分に設けられた第１電飾取付部４５２に取り付けられる。第２電飾ユニット４５４は、前面扉４２０（上部マスクユニット）の右側部分に設けられた第２電飾取付部４５５に取り付けられる。第３電飾ユニット４５７は、前面扉４２０（上部マスクユニット）の左上部に設けられた第３電飾取付部４５８に取り付けられる。第４電飾ユニット４６０は、前面扉４２０（上部マスクユニット）の右上部に設けられた第４電飾取付部４６１に取り付けられる。
【００８２】
第４電飾ユニット４６０を第４電飾取付部４６１に取り付ける際、図３６および図３７に示すように、仮固定部材４９０を用いて仮固定を行う。なお、第１〜第３電飾ユニット４５１，４５４，４５７を第１〜第３電飾取付部４５２，４５５，４５８に固定する際にも、第４電飾ユニット４６０と同様に、仮固定部材４９０を用いて仮固定を行うことができるようになっている。
【００８３】
第４電飾ユニット４６０は、図３７および図３８に示すように、ランプハウス４７１と、導光部材４８１と、ランプカバー４８６とを有して構成される。ランプハウス４７１は、図３６〜図３８に示すように、樹脂材料を用いて前側が開口した箱状に形成される。ランプハウス４７１の後部中央に、電飾用ランプ基板４６６（図３６を参照）のＬＥＤランプ（図示せず）をランプハウス４７１の内側に露出させる電飾用ランプ取付穴４７２が長穴状に形成される。ランプハウス４７１の後側に、第４電飾取付部４６１に取り付けられた電飾用ランプ基板４６６が電飾用ランプ取付穴４７２を覆って重なるように配置され、ランプハウス４７１の内部に面して電飾用ランプ基板４６６のＬＥＤランプ（図示せず）が配置されるようになっている。
【００８４】
ランプハウス４７１の下部に、導光部材４８１の係止片部４８２が係止可能な係止穴部４７３が形成される。ランプハウス４７１の上部内側に、導光部材４８１の突起部４８３，４８３が摺接可能な溝部４７４，４７４が形成される。ランプハウス４７１の上部外側に、ランプカバー４８６の係止穴部４８７に係止可能な係止突起４７５が形成される。ランプハウス４７１の後部上側に、仮固定部材４９０の第１係合部４９３が係合可能な第１係合穴４７６が前後方向に貫通して形成される。また、ランプハウス４７１の後部下側に、第４電飾ユニット４６０を第４電飾取付部４６１に取り付け固定するための固定ネジ４９８（図３６を参照）が螺合されるネジ穴（図示せず）が形成されている。
【００８５】
導光部材４８１は、透光性を有する樹脂材料を用いて階段状に形成される。導光部材４８１の下端部に、ランプハウス４７１の係止穴部４７３に係止する係止片部４８２が形成される。導光部材４８１の上端部に、ランプハウス４７１の溝部４７４，４７４に摺接可能な突起部４８３，４８３が形成される。導光部材４８１の係止片部４８２がランプハウス４７１の係止穴部４７３に係止するとともに、導光部材４８１の突起部４８３，４８３がランプハウス４７１の溝部４７４，４７４に摺接する状態で、導光部材４８１がランプハウス４７１の内部に収容される。導光部材４８１の前面側には、溝状の拡散部４８４が形成され、導光部材４８１を透過する光を拡散させるようになっている。図３８に示すように、拡散部４８４の先端部分には、上方を向いて傾斜した上方傾斜面部４８４ａと、下方を向いて傾斜した下方傾斜面部４８４ｂとが交互に並んで形成されており、拡散効果を高めるようになっている。
【００８６】
ランプカバー４８６は、透光性を有する樹脂材料を用いて蓋状に形成される。ランプカバー４８６の後上部に、ランプハウス４７１の係止突起４７５が係止可能な係止穴部４８７が形成される。ランプハウス４７１の係止突起４７５がランプカバー４８６の係止穴部４８７に係止する状態で、ランプカバー４８６がランプハウス４７１の開口部を覆ってランプハウス４７１の前部に取り付けられる。
【００８７】
図３６および図３７に示すように、前面扉４２０（上部マスクユニット）の右上部に設けられた第４電飾取付部４６１に、仮固定部材４９０の第２係合部４９５が係合可能な第２係合穴４６２と、第２係合穴４６２に繋がる収容穴４６３とが前後方向に貫通して形成されている。収容穴４６３は、仮固定部材４９０の第２係合部４９５と第２係合穴４６２とが係合したときに仮固定部材４９０の胴部４９１が収容されるようになっている。また、第４電飾取付部４６１に、前述の固定ネジ４９８が挿通される固定穴（図示せず）が形成されている。また、第４電飾取付部４６１の後側に、電飾用ランプ基板４６６が取り付けられる。
【００８８】
仮固定部材４９０は、図３８に示すように、樹脂材料を用いて前後方向に延びる棒状に形成される。仮固定部材４９０の胴部４９１は、第１係合穴４７６および第２係合穴４６２よりも大きい幅（外径）を有している。仮固定部材４９０の一端に、第４電飾ユニット４６０の第１係合穴４７６よりも大きい幅を有する第１端部４９２が形成される。第１端部４９２は、第１係合穴４７６を通過可能な幅形状に弾性変形可能な矢尻形の突起状に形成される。第１端部４９２と胴部４９１との間に、第４電飾ユニット４６０の第１係合穴４７６と係合可能な第１係合部４９３が形成される。仮固定部材４９０の他端に、第４電飾取付部４６１の第２係合穴４６２よりも大きい幅を有する第２端部４９４が形成される。第２端部４９４は、第２係合穴４６２を通過可能な幅形状に弾性変形可能な矢尻形の突起状に形成される。第２端部４９４と胴部４９１との間に、第４電飾取付部４６１の第２係合穴４６２と係合可能な第２係合部４９５が形成される。
【００８９】
なお、第１端部４９２および第１係合部４９３と、第２端部４９４および第２係合部４９５は、互いに同じ形状である。また、第４電飾ユニット４６０の第１係合穴４７６と第４電飾取付部４６１の第２係合穴４６２は、互いに同じ形状である。これにより、第１係合部４９３を第４電飾取付部４６１の第２係合穴４６２と係合させて、第２係合部４９５を第４電飾ユニット４６０の第１係合穴４７６と係合させることが可能となり、仮固定部材４９０の向きに拘わらず、第４電飾ユニット４６０を容易に仮固定することができる。本実施形態では、説明容易化のため、第１係合部４９３が第４電飾ユニット４６０の第１係合穴４７６と係合し、第２係合部４９５が第４電飾取付部４６１の第２係合穴４６２と係合する場合についてのみ、詳細に説明する。
【００９０】
以上のように構成される第４電飾ユニット４６０において、第４電飾ユニット４６０を第４電飾取付部４６１に取り付けるには、まず、仮固定部材４９０の第１端部４９２を第４電飾ユニット４６０の第１係合穴４７６に挿通させ、仮固定部材４９０の第１係合部４９３と第４電飾ユニット４６０の第１係合穴４７６とを係合させる。このとき、仮固定部材４９０の第１端部４９２が第４電飾ユニット４６０の第１係合穴４７６とほぼ同じ幅に弾性変形しつつこの第１係合穴４７６を通過し、第４電飾ユニット４６０（ランプハウス４７１）の内部に達すると元の形状に戻る。これにより、仮固定部材４９０の第１係合部４９３が第４電飾ユニット４６０の第１係合穴４７６に位置して係合する。このとき、仮固定部材４９０が第４電飾ユニット４６０に取り付けられた状態となる。
【００９１】
次に、第４電飾ユニット４６０を前方から第４電飾取付部４６１に組み付けるようにして、仮固定部材４９０の第２端部４９４を第４電飾取付部４６１の第２係合穴４６２に挿通させ、仮固定部材４９０の第２係合部４９５と第４電飾取付部４６１の第２係合穴４６２とを係合させる。このとき、仮固定部材４９０の第２端部４９４が第４電飾取付部４６１の第２係合穴４６２とほぼ同じ幅に弾性変形しつつこの第２係合穴４６２を通過し、第４電飾取付部４６１の後方に達すると元の形状に戻る。これにより、仮固定部材４９０の第２係合部４９５が第４電飾取付部４６１の第２係合穴４６２に位置して係合する。このとき、第４電飾取付部４６１の第２係合穴４６２と繋がる収容穴４６３に、仮固定部材４９０の胴部４９１が埋没するように収容されるため、第４電飾ユニット４６０（ランプハウス４７１）の後部が第４電飾取付部４６１の前面側に当接もしくは近接する状態で、仮固定部材４９０を介して第４電飾ユニット４６０が第４電飾取付部４６１に対して仮固定された状態となる。
【００９２】
そして、固定ネジ４９８を後方から第４電飾取付部４６１の固定穴（図示せず）に挿通させてランプハウス４７１のネジ穴（図示せず）に螺合させる。これにより、第４電飾ユニット４６０が第４電飾取付部４６１に取り付け固定される。
【００９３】
［主制御装置の構成］
次に、本実施形態に係る主制御装置５００について図３９〜図４６を参照して説明する。主制御装置５００は、主制御基板５１０と、主制御基板５１０を収容する主基板ケース５２０とを主体に構成された基板ケースユニットである。主制御基板５１０は、図４０および図４４に示すように、メインＣＰＵとＲＯＭを備えた遊技機制御用チップ５１２等の電子部品（電子素子）と、主基板側光コネクタ５１３等の電気部品と、これらが実装されるプリント基板５１１とから構成される。主制御基板５１０の左側に、光通信ケーブル７００を介して副制御装置６００（副制御基板６１０）と接続するための主基板側光コネクタ５１３が左方を向いて配設される。主基板側光コネクタ５１３には、光通信ケーブル７００の第１ケーブル側コネクタ７１０がプリント基板５１１の実装面５１１ａに沿って嵌合接続されるようになっている。主制御基板５１０の左下部に、第１コネクタ５１４ａが前方を向いて配設される。主制御基板５１０の右下部に、第２コネクタ５１４ｂ、第３コネクタ５１４ｃ、第４コネクタ５１４ｄ、および第５コネクタ５１４ｅがそれぞれ前方を向いて配設される。
【００９４】
主基板ケース５２０は、図３９および図４０に示すように、主基板ケース本体５３０と、主基板ケース蓋５４０とを有し、主基板ケース本体５３０と主基板ケース蓋５４０とが結合されて形成されるケース内部に、主制御基板５１０を収容可能に構成される。主基板ケース本体５３０は、図４０および図４４に示すように、透明の樹脂材料を用いて前側が開口した矩形箱状に形成される。主基板ケース本体５３０の上部に、第１本体側結合部５３１、第２本体側結合部５３２、および第３本体側結合部５３３が形成されている。また、主基板ケース本体５３０の上部に、封印カバー５５０によって封印される本体側封印部５３４が形成されている。
【００９５】
主基板ケース蓋５４０は、図４０および図４５に示すように、透明の樹脂材料を用いて後側が開口した矩形蓋状に形成される。主基板ケース蓋５４０の上部に、主基板ケース本体５３０の第１本体側結合部５３１、第２本体側結合部５３２、および第３本体側結合部５３３と結合される第１蓋側結合部５４１、第２蓋側結合部５４２、および第３蓋側結合部５４３が形成されている。また、主基板ケース蓋５４０の上部に、本体側封印部５３４とともに封印カバー５５０によって封印される蓋側封印部５４４が形成されている。第１本体側結合部５３１、第２本体側結合部５３２、および第３本体側結合部５３３と、第１蓋側結合部５４１、第２蓋側結合部５４２、および第３蓋側結合部５４３とを結合させることにより、主基板ケース蓋５４０が主制御基板５１０を覆うように主基板ケース本体５３０に結合される。またこのとき、封印カバー５５０を用いて本体側封印部５３４と蓋側封印部５４４とが結合されて封印されるようになっている。主基板ケース蓋５４０の右端部に、主基板ケース５２０を基体部４１０の背面部内側に設けられたブラケット（図示せず）に結合するためのブラケット結合部５４５が形成される。
【００９６】
主基板ケース蓋５４０左内側に、主基板側光コネクタ５１３を四方から囲む囲い部５４６が形成される。囲い部５４６の左側部に、主基板側光コネクタ５１３の先端側を露出させるコネクタ用切欠き部５４７が形成される。なお、主基板側光コネクタ５１３の外周部にフランジ部５１３ｆが形成されており、当該フランジ部５１３ｆが囲い部５４６の左側部におけるコネクタ用切欠き部５４７の周囲にオーバーラップして重なることで、コネクタ用切欠き部５４７から主基板ケース５２０内への不正なアクセスを防止するようになっている。また、囲い部５４６は、不図示の発光素子（図示せず）が内蔵される主基板側光コネクタ５１３の基端側を覆う箱状に形成されており、主基板ケース５２０の内側から主基板側光コネクタ５１３の基端側への不正なアクセスを防止するようになっている。
【００９７】
主基板ケース蓋５４０の左外側に、主基板側光コネクタ５１３と嵌合接続された第１ケーブル側コネクタ７１０から延びる光通信ケーブル７００の端部近傍を受容するケーブル受容部５４８が平板状に形成される。ケーブル受容部５４８における第１ケーブル側コネクタ７１０の嵌合方向に沿った左右方向の長さは、第１ケーブル側コネクタ７１０の長さよりも長くなるように設計される。これにより、主基板ケース５２０が基体部４１０の背面部内側に取り付けられた状態で、光通信ケーブル７００の第１ケーブル側コネクタ７１０を主基板側光コネクタ５１３に容易に嵌合接続させることができる。主基板ケース蓋５４０のケーブル受容部５４８に、主基板側光コネクタ５１３と嵌合接続された第１ケーブル側コネクタ７１０および光通信ケーブル７００の端部近傍を覆う主基板側コネクタカバー５６０が取り付けられる。
【００９８】
主基板ケース蓋５４０の左下部に、主制御基板５１０の左下部に設けられた第１コネクタ５１４ａを露出させる第１コネクタ露出部５４９ａが形成される。第１コネクタ露出部５４９ａは、主基板側コネクタカバー５６０の第２カバー部５７１に覆われるようになっている。主基板ケース蓋５４０の右下部に、主制御基板５１０の右下部に設けられた第２コネクタ５１４ｂ、第３コネクタ５１４ｃ、第４コネクタ５１４ｄ、および第５コネクタ５１４ｅを露出させる第２コネクタ露出部５４９ｂ，第３コネクタ露出部５４９ｃ，第４コネクタ露出部５４９ｄ，および第５コネクタ露出部５４９ｅが形成される。第５コネクタ露出部５４９ｅに、第５コネクタ５１４ｅに繋がるハーネスを覆うハーネスカバー５８０が取り付けられる。
【００９９】
主基板側コネクタカバー５６０は、図４６に示すように、透明樹脂材料を用いて蓋状に形成され、主基板ケース蓋５４０のケーブル受容部５４８を覆う第１カバー部５６１と、主基板ケース蓋５４０の第１コネクタ露出部５４９ａを覆う第２カバー部５７１とを有して構成される。第１カバー部５６１の右外壁部５６２に、主基板側光コネクタ５１３と嵌合接続された第１ケーブル側コネクタ７１０が挿通されるＵ字形のコネクタ用切欠き部５６３が形成される。第１カバー部５６１の内側に、光通信ケーブル７００の端部近傍が挿通されるＵ字形のケーブル用切欠き部５６５が形成された内壁部５６４が形成される。この内壁部５６４は、第１ケーブル側コネクタ７１０の基端部に近接し、第１ケーブル側コネクタ７１０が主基板側光コネクタ５１３から外れる方向へ移動するのを規制するようになっている。なお、第１カバー部５６１の内壁部５６４は、右外壁部５６２および左外壁部５６６と略平行に延びて形成される。また、ケーブル用切欠き部５６５の中心軸５６５ａは、コネクタ用切欠き部５６３の中心軸と同軸である。
【０１００】
内壁部５６４と対向する第１カバー部５６１の左外壁部５６６に、光通信ケーブル７００が挿通される第１外側切欠き部５６７がケーブル用切欠き部５６５よりも幅の広いＵ字形に形成される。これにより、第１ケーブル側コネクタ７１０から延びる光通信ケーブル７００が主基板側コネクタカバー５６０の内部側から外部側に挿通される。第１外側切欠き部５６７の中心軸５６７ａは、ケーブル用切欠き部５６５の中心軸５６５ａに対して略平行に（下方に）ずれるようになっている。そのため、図３９に示すように、主基板側光コネクタ５１３と嵌合接続された第１ケーブル側コネクタ７１０から延びる光通信ケーブル７００は、内壁部５６４のケーブル用切欠き部５６５に挿通されて下方に曲がり、左外壁部５６６の第１外側切欠き部５６７に挿通される。また、第１外側切欠き部５６７には、光通信ケーブル７００を保持可能な庇部５６７ｂが形成されている。第１カバー部５６１の天井部５６８に、ネジ等の結合部材（図示せず）が挿通されるとともに第１キャップ部材５９０により塞がれる第１キャップ穴部５６９が形成される。
【０１０１】
なお、第１カバー部５６１の左上部に、ケーブル受容部５４８の左上部に形成された第１ガイドピン５４８ａに摺接可能な第１ガイド溝部５６１ａが形成される。また、第２カバー部５７１の左下部に、ケーブル受容部５４８の左下方（第１コネクタ露出部５４９ａ）に形成された第２ガイドピン５４８ｂに摺接可能な第２ガイド溝部５７１ａが形成される。第２カバー部５７１の下外壁部５７２には、第１コネクタ５１４ａに繋がるハーネスが挿通される第２外側切欠き部５７３が形成される。
【０１０２】
また、ハーネスカバー５８０は、図３９に示すように、透明樹脂材料を用いて蓋状に形成される。ハーネスカバー５８０の天井部に、ネジ等の結合部材（図示せず）が挿通されるとともに第２キャップ部材５９５により塞がれる第２キャップ穴部５８１が形成される。
【０１０３】
以上のように構成される主制御装置５００において、主制御基板５１０に光通信ケーブル７００を接続するには、主基板ケース５２０が基体部４１０の背面部内側に取り付けられた状態で、図４１および図４３（ａ）に示すように、光通信ケーブル７００の第１ケーブル側コネクタ７１０をケーブル受容部５４８の前面側に近接させ、主制御基板５１０の主基板側光コネクタ５１３に向けて右方に移動させる。これにより、図４２および図４３（ｂ）に示すように、第１ケーブル側コネクタ７１０が主基板側光コネクタ５１３の嵌合凹部に挿入されて第１ケーブル側コネクタ７１０と主基板側光コネクタ５１３とが嵌合接続される。
【０１０４】
次に、主基板側コネクタカバー５６０をケーブル受容部５４８に取り付けて、ネジ等の結合部材（図示せず）を主基板側コネクタカバー５６０の第１キャップ穴部５６９に挿通させてケーブル受容部５４８に形成されたネジ結合穴５４８ｃに螺合させる。このとき、主基板側光コネクタ５１３と嵌合接続された第１ケーブル側コネクタ７１０から延びる光通信ケーブル７００を下方に曲げて、主基板側コネクタカバー５６０の内壁部５６４におけるケーブル用切欠き部５６５と、左外壁部５６６における第１外側切欠き部５６７とに挿通させる。そして、第１キャップ部材５９０を第１キャップ穴部５６９に係合させて、当該キャップ穴部５６９を塞ぐ。これにより、図３９に示すように、主基板側光コネクタ５１３と嵌合接続された第１ケーブル側コネクタ７１０および光通信ケーブル７００の端部近傍が主基板側コネクタカバー５６０に覆われた状態で、主制御基板５１０に光通信ケーブル７００が接続される。
【０１０５】
［副制御装置の構成］
次に、本実施形態に係る副制御装置６００について図４７〜図６１を参照して説明する。副制御装置６００は、図４７および図５２に示すように、副制御基板６１０と、副制御基板６１０を収容する副基板ケース６３０とを主体に構成された基板ケースユニットである。副制御基板６１０は、サブメイン基板６１１と、サブサブ基板６２１とから構成される。サブメイン基板６１１は、主制御装置５００（主制御基板５１０）からの出力情報（コマンドデータ）に基づいて、演出抽選など演出決定処理を行う。サブサブ基板６２１は、サブメイン基板６１１からの出力コマンドに基づいて、画像表示装置４３０等を作動させる演出制御処理を行う。
【０１０６】
サブメイン基板６１１は、図５１および図５７に示すように、サブメインＣＰＵ、拡張ワークＲＡＭ、プログラムＲＯＭ６１３等の電子部品（電子素子）と、接続コネクタ６１４等の電気部品と、これらが実装されるプリント基板６１２とから構成される。サブメイン基板６１１の左上端部近傍（副制御装置６００の後側から見て右上端部近傍）に、光通信ケーブル７００を介して主制御装置５００（主制御基板５１０）と接続するための副基板側光コネクタ６１５が左方を向いて配設される。副基板側光コネクタ６１５には、光通信ケーブル７００の第２ケーブル側コネクタ７２０（図５１を参照）がプリント基板６１２の実装面６１２ａに沿って嵌合接続されるようになっている。サブメイン基板６１１の右端部（副制御装置６００の後側から見て左端部）に、サブサブ基板６２１の接続コネクタ６２４と電気的に接続される接続コネクタ６１４が配設される。サブメイン基板６１１の上端部に、複数の上側コネクタ６１６が配設される。サブメイン基板６１１の下端部に、下側コネクタ６１７が配設される。サブメイン基板６１１の左端部（副制御装置６００の後側から見て右端部）に、複数の左側コネクタ６１８が配設される。
【０１０７】
サブメイン基板６１１のプログラムＲＯＭ６１３は、第２実施形態と同様に、ＲＯＭカバー６１９に覆われている。第３実施形態のＲＯＭカバー６１９は、第２実施形態のＲＯＭカバー３１９と同様の構成であり、詳細な説明を省略する。また、図５８に示すように、プリント基板６１２における実装面６１２ａと反対側の面に、副基板側光コネクタ６１５の反対側に位置する領域を四方から囲むガード部材６２０が取り付けられる。ガード部材６２０は、透明樹脂材料を用いて薄板状に形成され、プリント基板６１２における実装面６１２ａと反対側の面に位置する副基板側光コネクタ６１５のリード線６１５Ｌ（図５９を参照）等を覆って保護するようになっている。
【０１０８】
サブサブ基板６２１は、サブサブＣＰＵ、ＶＲＡＭ、プログラムＲＯＭ等の電子部品（電子素子）と、接続コネクタ６２４等の電気部品と、これらが実装されるプリント基板６２２とから構成される。サブサブ基板６２１の左端部（副制御装置６００の後側から見て右端部）に、サブメイン基板６１１の接続コネクタ６１４と電気的に接続される接続コネクタ６２４が配設される。サブメイン基板６１１の接続コネクタ６１４とサブサブ基板６２１の接続コネクタ６２４とを接続することにより、サブメイン基板６１１とサブサブ基板６２１とが電気的に接続される。サブサブ基板６２１の右端部（副制御装置６００の後側から見て左端部）に、通信ケーブルを介して画像制御装置（図示せず）と電気的に接続するための画像処理用コネクタ６２５が配設される。また、サブサブ基板６２１の表面上に、演出ＲＯＭ基板６２６および音声基板６２７が略平行に取り付けられてサブサブ基板６２１と電気的に接続されている。
【０１０９】
副基板ケース６３０は、図４７および図５１に示すように、副基板ケース本体６４０と、副基板ケース蓋６５０とを有し、副基板ケース本体６４０と副基板ケース蓋６５０とが結合されて形成されるケース内部に、副制御基板６１０を収容可能に構成される。副基板ケース本体６４０は、図５１および図５７に示すように、透明の樹脂材料を用いて後側が開口した矩形箱状に形成される。副基板ケース本体６４０の下部に、副基板ケース６３０を前面扉４２０の上部後面側（画像制御装置）に固定するためのロック機構６４１が設けられている。
【０１１０】
副基板ケース蓋６５０は、図５１および図６０に示すように、透明の樹脂材料を用いて前側が開口した矩形蓋状に形成される。副基板ケース蓋６５０は、図５６に示すように、結合ネジ６９９を用いて、副制御基板６１０を覆うように副基板ケース本体６４０に結合される。副基板ケース蓋６５０には、結合ネジ６９９がネジ挿通穴６５８に挿通されるとともに第１キャップ部材６９０により塞がれる第１キャップ穴部６５６が複数形成されている。一方、副基板ケース本体６４０には、結合ネジ６９９が螺合されるネジ結合穴６４８が複数形成されている。なお、ネジ結合穴６４８は、副基板ケース本体６４０において貫通せずに外部露出しないように形成されている。図５１に示すように、副基板ケース蓋６５０の左上部（副制御装置６００の後側から見て右上部）に、サブメイン基板６１１の左上端部近傍に設けられた副基板側光コネクタ６１５を露出させる副基板側コネクタ露出部６５１が形成されている。露出した副基板側光コネクタ６１５は、ネジ等の結合部材（図示せず）および第２キャップ部材６９５を用いてサブメイン基板６１１に取り付けられた副基板側コネクタカバー６６０に覆われるようになっている。
【０１１１】
副基板ケース蓋６５０の右端部（副制御装置６００の後側から見て左端部）に、サブサブ基板６２１の右端部に設けられた画像処理用コネクタ６２５を露出させる画像処理用コネクタ露出部６５２が形成されている。露出した画像処理用コネクタ６２５は、ネジ等の結合部材（図示せず）を用いて副基板ケース蓋６５０に取り付けられた画像処理用コネクタカバー（図示せず）に覆われるようになっている。第３実施形態の画像処理用コネクタカバーは、第２実施形態の画像処理用コネクタカバー３８０と同様の構成であり、図示を省略する。また、副基板ケース蓋６５０の上端部に、サブメイン基板６１１の上端部に設けられた複数の上側コネクタ６１６を露出させる上側コネクタ露出部６５３が形成される。副基板ケース蓋６５０の下端部に、サブメイン基板６１１の下端部に設けられた下側コネクタ６１７を露出させる下側コネクタ露出部６５４が形成される。副基板ケース蓋６５０の左端部（副制御装置６００の後側から見て右端部）に、サブメイン基板６１１の左端部に設けられた複数の左側コネクタ６１８を露出させる左側コネクタ露出部６５５が形成される。
【０１１２】
副基板側コネクタカバー６６０は、図６１に示すように、透明樹脂材料を用いて蓋状に形成され、サブメイン基板６１１（プリント基板６１２）の実装面６１２ａの左上端部近傍（副制御装置６００の後側から見て右上端部近傍）において副基板側光コネクタ６１５が露出する所定の取付け位置に取り付けられる。副基板側コネクタカバー６６０の上壁部６６１に、副基板ケース本体６４０の上端部左側に形成された支持部６４２にスライド移動可能に係合するガイドリブ６６２が形成される。副基板ケース本体６４０の支持部６４２は、図５３〜図５５に示すように断面視Ｕ字溝状に形成され、副基板側コネクタカバー６６０のガイドリブ６６２と係合した状態で、副基板側コネクタカバー６６０を実装面６１２ａに沿って外方から所定の取付け位置まで左右方向にスライド移動可能に支持する。また、副基板ケース本体６４０の左端部上側に、副基板側コネクタカバー６６０の係止爪部６６９が係止可能な係止片部６４３が左方に突出して形成されている。
【０１１３】
また、図６１に示すように、副基板側コネクタカバー６６０の上壁部６６１に、上壁部６６１と略直角に延びるガードリブ６６３が形成される。ガードリブ６６３は、副基板側コネクタカバー６６０が所定の取付け位置までスライド移動したときに、副基板ケース本体６４０の支持部６４２に当接するようになっている。副基板側コネクタカバー６６０の右側壁部６６４に、副基板側光コネクタ６１５の基端側を囲むコネクタ囲い部６６５が凹設される。コネクタ囲い部６６５には、副基板側光コネクタ６１５の先端側が挿通されるＵ字形のコネクタ用切欠き部６６５ａが形成される。なお、図５２および図５７に示すように、副基板側光コネクタ６１５の外周部にフランジ部６１５ｆが形成されており、当該フランジ部６１５ｆがコネクタ囲い部６６５におけるコネクタ用切欠き部６６５ａの周囲にオーバーラップして重なることで、コネクタ用切欠き部６６５ａからコネクタ囲い部６６５内への不正なアクセスを防止するようになっている。
【０１１４】
図６１に示すように、副基板側コネクタカバー６６０の左側壁部６６６に、第２ケーブル側コネクタ７２０から延びる光通信ケーブル７００の端部近傍が挿通されるＵ字形のケーブル用切欠き部６６７が形成される。なお、副基板側コネクタカバー６６０の左側壁部６６６は、副基板側光コネクタ６１５と嵌合接続された第２ケーブル側コネクタ７２０の基端部に近接し、第２ケーブル側コネクタ７２０が副基板側光コネクタ６１５から外れる方向へ移動するのを規制するようになっている。なお、ケーブル用切欠き部６６７の中心軸は、コネクタ用切欠き部６６５ａの中心軸と同軸である。
【０１１５】
また、副基板側コネクタカバー６６０の左側壁部６６６の縁部に、光通信ケーブル７００をケーブル用切欠き部６６７に導くための導入用切欠き部６６８がケーブル用切欠き部６６７の端部から下方に略直角に延びて形成される。また、副基板側コネクタカバー６６０の左側壁部６６６における縁部下端に、下壁部６７０と繋がる係止爪部６６９が基板側コネクタカバー６６０の内側に突出して形成される。係止爪部６６９は、副基板側コネクタカバー６６０が所定の取付け位置までスライド移動したときに、副基板ケース本体６４０の係止片部６４３に係止するようになっている。
【０１１６】
副基板側コネクタカバー６６０の天井部６７１における右側部分（副制御装置６００の後側から見て左側部分）に、凹部６７２が形成される。図５１に示すように、副基板ケース蓋６５０の左上部（副制御装置６００の後側から見て右上部）に、サブメイン基板６１１（プリント基板６１２）の実装面６１２ａと対向するように副基板側コネクタ露出部６５１側に突出する庇部６５７が形成されており、図５２に示すように、副基板側コネクタカバー６６０が所定の取付け位置までスライド移動したときに、副基板ケース蓋６５０の庇部６５７が副基板側コネクタカバー６６０の凹部６７２に（後側に）重なるようになっている。また、図６１に示すように、副基板側コネクタカバー６６０の天井部６７１における左側部分（副制御装置６００の後側から見て右側部分）に、ネジ等の結合部材（図示せず）が挿通されるとともに第２キャップ部材６９５により塞がれる第２キャップ穴部６７３が形成される。
【０１１７】
以上のように構成される副制御装置６００において、副制御基板６１０（サブメイン基板６１１）に光通信ケーブル７００を接続するには、副基板ケース６３０が前面扉４２０の上部後面側（画像制御装置）に取り付けられた状態で、光通信ケーブル７００の第２ケーブル側コネクタ７２０をサブメイン基板６１１の実装面６１２ａの上部左側方（副制御装置６００の後側から見て上部右側方）に近接させ、副制御基板６１０の副基板側光コネクタ６１５に向けて右方に移動させる。これにより、図５３に示すように、第２ケーブル側コネクタ７２０が副基板側光コネクタ６１５の嵌合凹部に挿入されて第２ケーブル側コネクタ７２０と副基板側光コネクタ６１５とが嵌合接続される。
【０１１８】
次に、図５３に示すように、副基板側コネクタカバー６６０をサブメイン基板６１１の実装面６１２ａの上部左側方（副制御装置６００の後側から見て上部右側方）に近接させ、副基板側光コネクタ６１５と嵌合接続された第２ケーブル側コネクタ７２０から延びる光通信ケーブル７００に副基板側コネクタカバー６６０の導入用切欠き部６６８を引っ掛ける。次に、副基板側コネクタカバー６６０の導入用切欠き部６６８に引っ掛けられた光通信ケーブル７００をケーブル用切欠き部６６７に導く。
【０１１９】
次に、図５４に示すように、副基板側コネクタカバー６６０のガイドリブ６６２を副基板ケース本体６４０の支持部６４２に係合させるようにして、副基板側コネクタカバー６６０を所定の取付け位置まで右方に移動させる。そうすると、副基板側コネクタカバー６６０は、ガイドリブ６６２が副基板ケース本体６４０の支持部６４２に支持された状態で、所定の取付け位置まで右方にスライド移動する。副基板側コネクタカバー６６０は、所定の取付け位置までスライド移動すると、図５５に示すように、副基板側コネクタカバー６６０のガードリブ６６３が副基板ケース本体６４０の支持部６４２に当接して停止する。このとき、図４８および図５５に示すように、副基板側コネクタカバー６６０の係止爪部６６９が副基板ケース本体６４０の係止片部６４３に係止するようになっている。またこのとき、図４７および図５２に示すように、副基板ケース蓋６５０の庇部６５７が副基板側コネクタカバー６６０の凹部６７２に（後方に）重なるようになっている。
【０１２０】
次に、ネジ等の結合部材（図示せず）を副基板側コネクタカバー６６０の第２キャップ穴部６７３に挿通させてサブメイン基板６１１（プリント基板６１２）に形成されたネジ結合穴６１２ｂ（図５３を参照）に螺合させる。そして、第２キャップ部材６９５を第２キャップ穴部６７３に係合させて、当該第２キャップ穴部６７３を塞ぐ。これにより、図４７および図５２に示すように、副基板側光コネクタ６１５および副基板側光コネクタ６１５と嵌合接続された第２ケーブル側コネクタ７２０が副基板側コネクタカバー６６０に覆われた状態で、副制御基板６１０（サブメイン基板６１１）に光通信ケーブル７００が接続される。なおこのとき、副基板側光コネクタ６１５の基端側が副基板側コネクタカバー６６０のコネクタ囲い部６６５に囲まれるとともに、コネクタ囲い部６６５の天井側に位置する副基板側コネクタカバー６６０の凹部６７２に副基板ケース蓋６５０の庇部６５７が重なるようになっている。またこのとき、コネクタ囲い部６６５の上側に位置する副基板側コネクタカバー６６０のガイドリブ６６２に副基板ケース本体６４０の支持部６４２が重なるとともに、副基板ケース本体６４０の支持部６４２の端部に副基板側コネクタカバー６６０のガードリブ６６３が当接するようになっている。これにより、不図示の受光素子（図示せず）が内蔵される副基板側光コネクタ６１５の基端側への不正なアクセスを防止することができる。
【０１２１】
［光通信装置の構成］
以上のようにして、主制御基板５１０と副制御基板６１０（サブメイン基板６１１）とが光通信ケーブル７００を介して接続される。すなわち、主制御基板５１０と副制御基板６１０とに跨り、伝送媒体として光通信ケーブル７００を利用した有線通信である光通信によって、主制御基板５１０と副制御基板６１０との間の通信を行う光通信装置が設けられる。なお、主制御基板５１０と副制御基板６１０との間の通信は、主制御基板５１０から副制御基板６１０へ指令信号を伝送する一方向のデジタル光通信を行うものであり、主制御基板５１０から副制御基板６１０へ一つの伝送路を介して、誤り検出ビット付の光ビット信号をシリアルに伝送するものである。以下、図６２を参照しながら、光通信装置の一例について説明する。
【０１２２】
光通信装置は、主制御基板５１０に設けられて副制御基板６１０へ向けて指令信号（コマンドデータ）を発信する不図示の指令信号発信回路（図示せず）と、副制御基板６１０に設けられて主制御基板５１０からの指令信号（コマンドデータ）を受信する不図示の指令信号受信回路（図示せず）と、主制御基板５１０と副制御基板６１０とを相互に接続する光通信ケーブル７００とを備え、光通信ケーブル７００を介して主制御基板５１０と副制御基板６１０との間の通信を行うものである。
【０１２３】
光通信ケーブル７００は、光信号を伝送するための光ファイバーケーブルを主体に構成される。光通信ケーブル７００の一端に、前述の第１ケーブル側コネクタ７１０が設けられる。第１ケーブル側コネクタ７１０は、主基板側光コネクタ５１３の内部に嵌合される円筒状に形成されたプラグコネクタである。第１ケーブル側コネクタ７１０には、第１ケーブル側コネクタ７１０の着脱時に作業者に把持される略直方体状の把持部７１１と、この把持部７１１に一体的に繋がって延びる略円筒状の嵌合凸部７１２とが形成される。また、第１ケーブル側コネクタ７１０には、光通信ケーブル７００を挿入保持するためのケーブル挿入孔（図示せず）が第１ケーブル側コネクタ７１０の中心軸に沿って貫通形成されている。第１ケーブル側コネクタ７１０の嵌合凸部７１２は、段付きの円筒形状に形成されており、その外周面には第１ケーブル側コネクタ７１０の軸方向における中間部分を一周するように円環状に形成された被係止溝７１３が凹設されている。嵌合凸部７１２の先端には、山型に突出してケーブル挿入孔（図示せず）の開口端となる位置決め凸部７１４が設けられている。
【０１２４】
光通信ケーブル７００の他端に、前述の第２ケーブル側コネクタ７２０が設けられる。第２ケーブル側コネクタ７２０は、副基板側光コネクタ６１５の内部に嵌合される円筒状に形成されたプラグコネクタである。第２ケーブル側コネクタ７２０には、第１ケーブル側コネクタ７１０と同様に、把持部７２１と、嵌合凸部７２２と、ケーブル挿入孔（図示せず）とが形成されている。第２ケーブル側コネクタ７２０の嵌合凸部７２２には、第１ケーブル側コネクタ７１０と同様に、被係止溝７２３と、位置決め凸部７２４とが形成されている。
【０１２５】
光通信ケーブル７００の一端は、第１ケーブル側コネクタ７１０のケーブル挿入孔（図示せず）に挿入されて位置決め凸部７１４から外方に幾分突出した状態で、不図示の固定金具により第１ケーブル側コネクタ７１０に対して接合固定されるようになっている。光通信ケーブル７００の他端は、第２ケーブル側コネクタ７２０のケーブル挿入孔（図示せず）に挿入されて位置決め凸部７２４から外方に幾分突出した状態で、不図示の固定金具により第２ケーブル側コネクタ７２０に対して接合固定されるようになっている。
【０１２６】
主基板側光コネクタ５１３は、第１ケーブル側コネクタ７１０と対向する側に開口するレセプタクルハウジング５１３ａと、不図示の発光素子（図示せず）を内包してレセプタクルハウジング５１３ａ内に取り付けられるシェル部材５１３ｂとを有して構成される。レセプタクルハウジング５１３ａの開口部分に、第１ケーブル側コネクタ７１０の嵌合凸部７１２を受容する嵌合凹部５１３ｃと、発光素子（図示せず）からの光信号を光通信ケーブル７００に通すための発光孔（図示せず）とが形成される。
【０１２７】
副基板側光コネクタ６１５は、第２ケーブル側コネクタ７２０と対向する側に開口するレセプタクルハウジング６１５ａと、不図示の受光素子（図示せず）を内包してレセプタクルハウジング６１５ａ内に取り付けられるシェル部材６１５ｂとを有して構成される。レセプタクルハウジング６１５ａの開口部分に、第２ケーブル側コネクタ７２０の嵌合凸部７２２を受容する嵌合凹部６１５ｃと、光通信ケーブル７００からの光信号を受光素子（図示せず）に通すための受光孔（図示せず）とが形成される。
【０１２８】
以上のように構成される光通信装置において、第１ケーブル側コネクタ７１０と主基板側光コネクタ５１３とを接続するには、第１ケーブル側コネクタ７１０の嵌合凸部７１２をレセプタクルハウジング５１３ａの嵌合凹部５１３ｃに挿入する。そうすると、レセプタクルハウジング５１３ａの内周面に形成された係止突起（図示せず）が第１ケーブル側コネクタ７１０の被係止溝７１３に係止し、第１ケーブル側コネクタ７１０の移動が規制されて第１ケーブル側コネクタ７１０と主基板側光コネクタ５１３とが嵌合状態に保持される。このとき、第１ケーブル側コネクタ７１０の位置決め凸部７１４から突出する光通信ケーブル７００の一端がレセプタクルハウジング５１３ａの発光孔（図示せず）に挿入され、光通信ケーブル７００の一端と主基板側光コネクタ５１３の発光素子（図示せず）とが互いに近接した状態で対向配置される。これにより、主制御基板５１０の指令信号発信回路（図示せず）から送信された電気信号（指令信号）が主基板側光コネクタ５１３の発光素子において光信号に変換され、当該発光素子から光通信ケーブル７００に光信号が射出されて伝送される。
【０１２９】
一方、第２ケーブル側コネクタ７２０と副基板側光コネクタ６１５とを接続するには、第２ケーブル側コネクタ７２０の嵌合凸部７２２をレセプタクルハウジング６１５ａの嵌合凹部６１５ｃに挿入する。そうすると、レセプタクルハウジング６１５ａの内周面に形成された係止突起（図示せず）が第２ケーブル側コネクタ７２０の被係止溝７２３に係止し、第２ケーブル側コネクタ７２０の移動が規制されて第２ケーブル側コネクタ７２０と副基板側光コネクタ６１５とが嵌合状態に保持される。このとき、第２ケーブル側コネクタ７２０の位置決め凸部７２４から突出する光通信ケーブル７００の他端がレセプタクルハウジング６１５ａの受光孔（図示せず）に挿入され、光通信ケーブル７００の他端と副基板側光コネクタ６１５の受光素子（図示せず）とが互いに近接した状態で対向配置される。これにより、光通信ケーブル７００から伝送された光信号が副基板側光コネクタ６１５の受光素子において電気信号（指令信号）に変換され、当該受光素子から副制御基板６１０の指令信号受信回路（図示せず）に指令信号が送信される。
【０１３０】
このようにして、主制御基板５１０と副制御基板６１０（サブメイン基板６１１）とが光通信装置を介して一方向にシリアル通信可能となり、主制御基板５１０から副制御基板６１０に向けて各種指令信号（コマンドデータ）が送信される。
【０１３１】
［第３実施形態における特徴構成］
［電飾ユニットの特徴構成］
従来においては、例えば、電飾取付部に電飾ユニットを仮固定するための係止爪を設けていたため、係止爪を樹脂成型するための余分な穴部を電飾取付部に形成する必要があり、不正な工具を電飾ユニットと電飾取付部との隙間からこの穴部に挿通させて、スロットマシンの内部に不正にアクセスされるおそれがあった。第３実施形態においては、仮固定部材４９０の第１端部４９２が弾性変形して第４電飾ユニット４６０の第１係合穴４７６を通過し元の形状に戻ることで仮固定部材４９０の第１係合部４９３と第１係合穴４７６とが係合するとともに、仮固定部材４９０の第２端部４９４が弾性変形して第４電飾取付部４６１の第２係合穴４６２を通過し元の形状に戻ることで仮固定部材４９０の第２係合部４９５と第２係合穴４６２とが係合することにより、第４電飾ユニット４６０が第４電飾取付部４６１に対して仮固定されるように構成されている。これにより、第４電飾取付部４６１に形成される穴を最小限にすることができ、また、第４電飾取付部４６１の第２係合穴４６２を仮固定部材４９０によって塞ぐことができるため、第４電飾ユニット４６０と第４電飾取付部４６１との隙間に不正な工具を挿通させてスロットマシンＳＭ３の内部に不正にアクセスされるのを防止することが可能になる。そのため、スロットマシンＳＭ３に対する不正行為を防止することができる。
【０１３２】
また、第４電飾取付部４６１に、仮固定部材４９０の第２係合部４９５と第４電飾取付部４６１の第２係合穴４６２とが係合したときに仮固定部材４９０の胴部４９１が収容される収容穴４６３が第２係合穴４６２に繋がって形成され、第４電飾ユニット４６０（ランプハウス４７１）の後部が第４電飾取付部４６１に当接もしくは近接する状態で、第４電飾ユニット４６０が第４電飾取付部４６１に対して仮固定されるように構成される。これにより、第４電飾ユニット４６０と第４電飾取付部４６１との隙間を最小限に抑えることができるため、第４電飾ユニット４６０と第４電飾取付部４６１との隙間に不正な工具を挿通させてスロットマシンＳＭ３の内部に不正にアクセスされるのを防止することが可能になる。そのため、スロットマシンＳＭ３に対する不正行為を防止することができる。
【０１３３】
第４電飾ユニット４６０の第１係合穴４７６と第４電飾取付部４６１の第２係合穴４６２とが互いに同じ形状であり、仮固定部材４９０の第１端部４９２と第２端部４９４とが互いに同じ形状であり、仮固定部材４９０の第１係合部４９３と第２係合部４９５とが互いに同じ形状である。これにより、仮固定部材４９０の向きに拘わらず、第４電飾ユニット４６０を容易に仮固定することができる。
【０１３４】
なお、第１電飾ユニット４５１、第２電飾ユニット４５４、および第３電飾ユニット４５７は、第４電飾ユニット４６０と同様の構成である。そのため、第１電飾ユニット４５１、第２電飾ユニット４５４、および第３電飾ユニット４５７についても、上述した第４電飾ユニット４６０と同様の効果を得ることができる。
【０１３５】
［主制御装置の特徴構成］
近年、光通信ケーブルを用いて主制御基板と副制御基板とを接続し、不正行為の防止を図った遊技機が用いられつつある。しかしながら、このような構成の遊技機であっても、主基板ケースまたは副基板ケースの内部に不正にアクセスされて、不正行為が行われるおそれがあった。第３実施形態において、主制御基板５１０の実装面５１１ａと対向する主基板ケース蓋５４０は、主基板側光コネクタ５１３を囲む囲い部５４６と、囲い部５４６に形成されて主基板側光コネクタ５１３の一部を露出させるコネクタ用切欠き部５４７と、主基板側光コネクタ５１３と嵌合接続された第１ケーブル側コネクタ７１０から延びる光通信ケーブル７００の端部近傍を受容するケーブル受容部５４８とを有している。これにより、主基板側光コネクタ５１３に対して第１ケーブル側コネクタ７１０をプリント基板５１１の実装面５１１ａに沿って嵌合接続させることができるため、コネクタ用切欠き部５４７の大きさを最小限にすることが可能になる。また、主基板ケース蓋５４０の囲い部５４６によって主基板側光コネクタ５１３が囲まれるため、主基板ケース５２０の内部に不正な工具を挿入して主基板側光コネクタ５１３に不正にアクセスされるのを防止することが可能になる。そのため、スロットマシンＳＭ３に対する不正行為を防止することができる。
【０１３６】
また、主基板側コネクタカバー５６０の内側に、光通信ケーブル７００の端部近傍が挿通されるケーブル用切欠き部５６５を有して第１ケーブル側コネクタ７１０の基端部に近接し、第１ケーブル側コネクタ７１０が主基板側光コネクタ５１３から外れる方向へ移動するのを規制する内壁部５６４が形成されている。これにより、光通信ケーブル７００が無理に引っ張られたとしても、内壁部５６４によって第１ケーブル側コネクタ７１０が主基板側光コネクタ５１３から外れるのを防止することができる。そのため、スロットマシンＳＭ３に対する不正行為を防止することができる。
【０１３７】
また、主基板側コネクタカバー５６０の内壁部５６４と対向する左外壁部５６６に、主基板側光コネクタ５１３と嵌合接続された第１ケーブル側コネクタ７１０から延びる光通信ケーブル７００を主基板側コネクタカバー５６０の内部側から外部側に挿通させる第１外側切欠き部５６７が形成され、当該第１外側切欠き部５６７の中心軸５６７ａがケーブル用切欠き部５６５の中心軸５６５ａに対して略平行に（下方に）ずれている。これにより、主基板側光コネクタ５１３と嵌合接続された第１ケーブル側コネクタ７１０から延びる光通信ケーブル７００は、内壁部５６４のケーブル用切欠き部５６５に挿通されて下方に曲がり、左外壁部５６６の第１外側切欠き部５６７に挿通される。このとき、主基板側コネクタカバー５６０の第１外側切欠き部５６７に不正な工具を挿通させても、光通信ケーブル７００と同様に曲げなければ、内壁部５６４に当接してケーブル用切欠き部５６５を通ることができないので、主基板側光コネクタ５１３に不正にアクセスされるのを防止することが可能になる。そのため、スロットマシンＳＭ３に対する不正行為を防止することができる。
【０１３８】
また、ケーブル受容部５４８における第１ケーブル側コネクタ７１０の嵌合方向に沿った長さは、第１ケーブル側コネクタ７１０の長さよりも長くなっている。これにより、主基板ケース５２０がスロットマシンＳＭ３の基体部４１０の背面部内側に取り付けられた状態で、第１ケーブル側コネクタ７１０を主基板側光コネクタ５１３に容易に嵌合接続させることができる。
【０１３９】
［副制御装置の特徴構成］
第３実施形態において、副基板ケース本体６４０は、副基板側コネクタカバー６６０を副制御基板６１０（サブメイン基板６１１）の実装面６１２ａに沿って外方から所定の取付け位置までスライド移動可能に支持する支持部６４２を有し、副基板側コネクタカバー６６０は、副基板側コネクタカバー６６０が所定の取付け位置にスライド移動した状態で副基板ケース本体６４０の係止片部６４３に係止する係止爪部６６９を有している。これにより、副基板側コネクタカバー６６０が所定の取付け位置にスライド移動した状態で、副基板側コネクタカバー６６０の係止爪部６６９が副基板ケース本体６４０の係止片部６４３に係止するため、副制御基板６１０に対して副基板側コネクタカバー６６０を無理に浮かせることが困難となり、副基板側光コネクタ６１５に不正にアクセスされるのを防止することが可能になる。そのため、スロットマシンＳＭ３に対する不正行為を防止することができる。
【０１４０】
また、副基板側コネクタカバー６６０の左側部（後方から見て右側部）に、光通信ケーブル７００が挿通されるケーブル用切欠き部６６７を有して副基板側光コネクタ６１５と嵌合接続された第２ケーブル側コネクタ７２０の基端部に近接し、第２ケーブル側コネクタ７２０が副基板側光コネクタ６１５から外れる方向へ移動するのを規制する左側壁部６６６が形成されている。これにより、光通信ケーブル７００が無理に引っ張られたとしても、左側壁部６６６によって第２ケーブル側コネクタ７２０が副基板側光コネクタ６１５から外れるのを防止することができる。そのため、スロットマシンＳＭ３に対する不正行為を防止することができる。
【０１４１】
また、副基板側コネクタカバー６６０の左側壁部６６６の縁部に、ケーブル用切欠き部６６７の端部から下方に略直角に延びて形成された導入用切欠き部６６８が形成されている。これにより、光通信ケーブル７００を副基板側コネクタカバー６６０のケーブル用切欠き部６６７に容易に挿通させることが可能となり、副基板側コネクタカバー６６０の取り付けが容易になる。
【０１４２】
また、副基板ケース蓋６５０は、所定の取付け位置にスライド移動した副基板側コネクタカバー６６０の凹部６７２と重なる庇部６５７を有している。これにより、副制御基板６１０（サブメイン基板６１１）における副基板ケース蓋６５０と副基板側コネクタカバー６６０との境界露出部分が庇部６５７に覆われるため、副基板側光コネクタ６１５に不正にアクセスされるのを防止することが可能になる。そのため、スロットマシンＳＭ３に対する不正行為を防止することができる。
【０１４３】
また、副制御基板６１０（サブメイン基板６１１）における実装面６１２ａと反対側の面に、副基板側光コネクタ６１５の反対側に位置する領域を四方から囲むガード部材６２０が取り付けられている。これにより、副基板側光コネクタ６１５のリード線６１５Ｌ等に不正にアクセスされるのを防止することが可能になる。そのため、スロットマシンＳＭ３に対する不正行為を防止することができる。
【０１４４】
上述の第３実施形態において、第４電飾取付部４６１に収容穴４６３が形成されているが、これに限られるものではない。例えば、第４電飾ユニット４６０（ランプハウス４７１）の後部に、仮固定部材４９０の第１係合部４９３と第４電飾ユニット４６０の第１係合穴４７６とが係合したときに仮固定部材４９０の胴部４９１が収容される収容穴（図示せず）が第１係合穴４７６に繋がって形成され、第４電飾ユニット４６０（ランプハウス４７１）の後部が第４電飾取付部４６１に当接もしくは近接する状態で、第４電飾ユニット４６０が第４電飾取付部４６１に対して仮固定されるように構成されてもよい。このようにしても、第４電飾ユニット４６０と第４電飾取付部４６１との隙間を最小限に抑えることができるため、スロットマシンＳＭ３に対する不正行為を防止することができる。
【０１４５】
上述の第３実施形態において、第４電飾ユニット４６０を第４電飾取付部４６１に取り付ける際、仮固定部材４９０を用いて仮固定を行っているが、これに限られるものではない。例えば、装飾パネル４３３を前面扉４２０のパネル取付部（図示せず）に取り付ける際、仮固定部材４９０を用いて仮固定を行うようにしてもよく、装飾部材を前面扉４２０の取付部に取り付ける際、本実施形態の仮固定部材４９０を用いて仮固定を行うことが可能である。また、第３実施形態のスロットマシンＳＭ３に限らず、第１および第２実施形態のスロットマシンＳＭ１，ＳＭ２において、装飾部材を前面扉２０，１２０の取付部に取り付ける際、第３実施形態の仮固定部材４９０を用いて仮固定を行うことが可能である。
【０１４６】
上述の第３実施形態において、主基板側コネクタカバー５６０左外壁部５６６に、光通信ケーブル７００が挿通される第１外側切欠き部５６７がケーブル用切欠き部５６５よりも幅の広いＵ字形に形成されているが、これに限られるものではない。例えば、図４６（ｃ）の二点鎖線で示すように、主基板側コネクタカバー５６０左外壁部５６６に、光通信ケーブル７００が挿通される第１外側切欠き部５９７がケーブル用切欠き部５６５よりも幅の広い山形に形成されてもよい。
【０１４７】
上述の第３実施形態において、副制御基板６１０（サブメイン基板６１１）における実装面６１２ａと反対側の面に、副基板側光コネクタ６１５の反対側に位置する領域を四方から囲むガード部材６２０が取り付けられているが、これに限られるものではない。例えば、ガード部材は、副基板側光コネクタ６１５の反対側に位置する領域を上方および左方（サブメイン基板６１１の端部に近い側）から囲むように逆Ｌ字形に形成されてもよく、副基板側光コネクタ６１５の反対側に位置する領域を少なくとも一方から囲む構成であればよい。
【０１４８】
また、第３実施形態のスロットマシンＳＭ３に、光通信ケーブル７００を用いて接続された主制御装置５００および副制御装置６００が設けられているが、これに限られるものではない。例えば、第１実施形態のスロットマシンＳＭ１に設けられる主制御装置１５および副制御装置３５として、第３実施形態の主制御装置５００および副制御装置６００を用いるようにしてもよい。また例えば、第２実施形態のスロットマシンＳＭ２に設けられる主制御装置１１５として、第３実施形態の主制御装置５００を用いるとともに、第２実施形態で詳細に述べた副制御装置３００に代えて、第３実施形態の副制御装置６００を用いるようにしてもよい。また、主制御基板５１０と副制御基板６１０（サブメイン基板６１１）とに限らず、例えば、サブメイン基板６１１とサブサブ基板６２１とが光通信ケーブルを介して接続されてもよく、基板同士が光通信ケーブルを介して接続される場合に、本実施形態の構成を適用することができる。
【０１４９】
［第１変形例］
第３実施形態において、副基板ケース蓋６５０には、結合ネジ６９９がネジ挿通穴６５８に挿通されるとともに第１キャップ部材６９０により塞がれる第１キャップ穴部６５６が複数形成されている。第１キャップ部材６９０は、単に第１キャップ穴部６５６を塞ぐ構成に限定されるものではない。そこで、第１キャップ部材の第１変形例について図６３〜図６４を参照して説明する。第１変形例に係る第１キャップ部材８００は、透明樹脂材料を用いて有底円筒状に形成され、胴部８０１と、胴部８０１の一端側に設けられたキャップ頭部８０３と、胴部８０１の他端側に設けられた押さえ部８０４とを有して構成される。
【０１５０】
胴部８０１の側面にロック爪部８０２が形成されており、第１キャップ部材８００を第１キャップ穴部６５６に嵌入させたときに、第１キャップ穴部６５６に形成されたロック溝部６５６ａにこのロック爪部８０２が係合するようになっている。これにより、第１キャップ部材８００は、第１キャップ穴部６５６を塞ぐ状態で第１キャップ穴部６５６に嵌合保持される。なお、副基板ケース蓋６５０における第１キャップ穴部６５６の内側面にロック爪部８０２が形成され、第１キャップ穴部６５６の底部に繋がって結合ネジ６９９のネジ部６９９ａが挿通されるネジ挿通穴６５８が形成されている。キャップ頭部８０３は、結合ネジ６９９の頭部６９９ｂが収容された第１キャップ穴部６５６の開口部分を塞いで、結合ネジ６９９への不正なアクセスを防止している。キャップ頭部８０３の中央部分は、ドライバー（図示せず）を突き刺して穴を開けられる程度の厚さに形成されている。
【０１５１】
押さえ部８０４は、胴部８０１およびキャップ頭部８０３と別体に樹脂成型されて、胴部８０１の他端側に溶着もしくは接着されるようになっている。これにより、胴部８０１の両端にキャップ頭部８０３および押さえ部８０４が形成されても第１キャップ部材８００（胴部８０１）に内部空間を形成することができる。押さえ部８０４は、第１キャップ部材８００が第１キャップ穴部６５６を塞ぐ状態で、結合ネジ６９９の頭部６９９ｂに当接もしくは近接し、結合ネジ６９９の頭部６９９ｂの外周部近傍を覆う板状に形成される。押さえ部８０４の中央部に、結合ネジ６９９の頭部６９９ｂにおける頭頂部を第１キャップ部材８００の内部空間側に露出させる露出穴８０５が形成される。これにより、副基板ケース本体６４０から副基板ケース蓋６５０を取り外して副基板ケース６３０を開放する際、ドライバー（図示せず）をキャップ頭部８０３の中央部分に突き刺して第１キャップ部材８００の内部空間側に挿入し、結合ネジ６９９の頭部６９９ｂを回すことができる。
【０１５２】
［第１変形例の特徴構成］
従来型の第１キャップ部材６９０は、単に第１キャップ穴部６５６を塞ぐ構成であったため、副基板ケース６３０が不正に開放されても、その痕跡が残らないおそれがあった。第１変形例において、第１キャップ部材８００は、第１キャップ部材８００が第１キャップ穴部６５６を塞ぐ状態で結合ネジ６９９の頭部６９９ｂに当接もしくは近接する押さえ部８０４を有している。これにより、結合ネジ６９９を回そうとしても、結合ネジ６９９の頭部６９９ｂが押さえ部８０４に当接して回しにくくなるため、副基板ケース本体６４０のネジ結合穴６４８から結合ネジ６９９を外して副基板ケース６３０を不正に開放するのを防止することが可能になる。これにより、スロットマシンＳＭ３に対する不正行為を防止することができる。
【０１５３】
また、押さえ部８０４は、結合ネジ６９９の頭部６９９ｂに当接もしくは近接する状態で当該頭部６９９ｂの外周部近傍を覆う板状に形成され、押さえ部８０４の中央部に、結合ネジ６９９の頭部６９９ｂにおける頭頂部を第１キャップ部材８００の内部空間側に露出させる露出穴８０５が形成されている。これにより、副基板ケース本体６４０から副基板ケース蓋６５０を取り外して副基板ケース６３０を開放する際、ドライバー（図示せず）をキャップ頭部８０３の中央部分に突き刺して第１キャップ部材８００の内部空間側に挿入し、結合ネジ６９９の頭部６９９ｂを回すことができる。また、押さえ部８０４における露出穴８０５近傍の部分は薄くて破損しやすいため、仮に、不正行為者が強引に結合ネジ６９９を回して、副基板ケース本体６４０のネジ結合穴６４８から結合ネジ６９９を外したとしても、結合ネジ６９９の頭部６９９ｂが押さえ部８０４に当接して押さえ部８０４を破損させる。そのため、副基板ケース６３０を不正に開放する行為を早期に発見することができる。
【０１５４】
上述の第１変形例において、押さえ部は、露出穴８０５を設けることなく、結合ネジ６９９の頭部６９９ｂに当接もしくは近接する状態で当該頭部６９９ｂの全体を覆う板状に形成されてもよい。この場合、押さえ部の中央部は、ドライバー（図示せず）を突き刺して穴を開けられる程度の厚さに（外周側よりも薄く）形成されていることが好ましい。このような構成であっても、副基板ケース本体６４０から副基板ケース蓋６５０を取り外して副基板ケース６３０を開放する際、ドライバー（図示せず）をキャップ頭部の中央部分に突き刺して第１キャップ部材の内部空間側に挿入し、押さえ部に穴を開けて結合ネジ６９９の頭部６９９ｂを回すことができる。また、押さえ部の中央部は薄くて破損しやすいため、上述の第１変形例の場合と同様に、副基板ケース６３０を不正に開放する行為を早期に発見することができる。
【０１５５】
［第２変形例］
次に、第１キャップ部材の第２変形例について図６５を参照して説明する。第２変形例に係る第１キャップ部材８１０は、透明樹脂材料を用いて有底円筒状に形成され、胴部８０１と、胴部８０１の一端側に設けられたキャップ頭部８０３と、胴部８０１の他端側に設けられた押さえ部８１４とを有して構成される。胴部８０１およびキャップ頭部８０３は、第１変形例と同様の構成であるため、同一の符号を付して説明を省略する。
【０１５６】
押さえ部８１４は、胴部８０１およびキャップ頭部８０３と別体に樹脂成型されて、胴部８０１の他端側に溶着もしくは接着されるようになっている。これにより、胴部８０１の両端にキャップ頭部８０３および押さえ部８１４が形成されても第１キャップ部材８１０（胴部８０１）に内部空間を形成することができる。押さえ部８１４は、第１キャップ部材８１０が第１キャップ穴部６５６を塞ぐ状態で、結合ネジ６９９の頭部６９９ｂに当接もしくは近接する板状に形成される。
【０１５７】
［第２変形例の特徴構成］
第２変形例において、第１キャップ部材８１０は、第１キャップ部材８１０が第１キャップ穴部６５６を塞ぐ状態で結合ネジ６９９の頭部６９９ｂに当接もしくは近接する押さえ部８１４を有している。これにより、結合ネジ６９９を回そうとしても、結合ネジ６９９の頭部６９９ｂが押さえ部８１４に当接して回しにくくなるため、副基板ケース本体６４０のネジ結合穴６４８から結合ネジ６９９を外して副基板ケース６３０を不正に開放するのを防止することが可能になる。これにより、スロットマシンＳＭ３に対する不正行為を防止することができる。また、押さえ部８１４が単純な形状であるため、第１キャップ部材８１０の作製が容易である。
【０１５８】
上述の第２変形例において、第１キャップ部材８１０は、内部空間を有していなくてもよい。これにより、押さえ部８１４を、胴部８０１およびキャップ頭部８０３と別体に樹脂成型する必要がなく、第１キャップ部材８１０を一体成型することが可能となり、第１キャップ部材８１０の作製がより容易になる。
【０１５９】
［第３変形例］
次に、第１キャップ部材の第３変形例について図６６を参照して説明する。第３変形例に係る第１キャップ部材８２０は、透明樹脂材料を用いて有底円筒状に形成され、胴部８０１と、胴部８０１の一端側に設けられたキャップ頭部８０３と、胴部８０１の他端側に設けられた押さえ部８２４とを有して構成される。胴部８０１およびキャップ頭部８０３は、第１変形例と同様の構成であるため、同一の符号を付して説明を省略する。
【０１６０】
押さえ部８２４は、胴部８０１およびキャップ頭部８０３と別体に樹脂成型されて、胴部８０１の他端側に溶着もしくは接着されるようになっている。これにより、胴部８０１の両端にキャップ頭部８０３および押さえ部８２４が形成されても第１キャップ部材８２０（胴部８０１）に内部空間を形成することができる。押さえ部８２４は、第１キャップ部材８２０が第１キャップ穴部６５６を塞ぐ状態で、結合ネジ６９９の頭部６９９ｂに当接もしくは近接する板状に形成される。押さえ部８２４の中央部に、結合ネジ６９９の頭部６９９ｂにおけるドライバー係合穴に係合する係合突起８２５が形成される。これにより、押さえ部８２４は、結合ネジ６９９の頭部６９９ｂの回転を規制することができる。
【０１６１】
［第３変形例の特徴構成］
第３変形例において、第１キャップ部材８２０は、第１キャップ部材８２０が第１キャップ穴部６５６を塞ぐ状態で結合ネジ６９９の頭部６９９ｂに当接もしくは近接する押さえ部８２４を有している。また、押さえ部８２４は、係合突起８２５によって結合ネジ６９９の頭部６９９ｂの回転を規制可能に構成される。これにより、結合ネジ６９９を回そうとしても、結合ネジ６９９の頭部６９９ｂ（ドライバー係合穴）が押さえ部８２４の係合突起８２５と係合して回転することは限りなく不可能となるため、副基板ケース本体６４０のネジ結合穴６４８から結合ネジ６９９を外して副基板ケース６３０を不正に開放するのを防止することが可能になる。これにより、スロットマシンＳＭ３に対する不正行為を防止することができる。
【０１６２】
上述の第３変形例において、第１キャップ部材８２０は、内部空間を有していなくてもよい。これにより、押さえ部８２４を、胴部８０１およびキャップ頭部８０３と別体に樹脂成型する必要がなく、第１キャップ部材８２０を一体成型することが可能となり、第１キャップ部材８２０の作製が容易になる。
【０１６３】
上述の第１〜第３変形例において、結合部材として結合ネジ６９９が用いられているが、これに限られるものではなく、例えば、六角穴付きボルトや、単純な六角ボルトが用いられてもよい。なお、上述の第３変形例において、結合ネジ６９９に代えて、六角ボルト（図示せず）が用いられる場合、押さえ部８２４の係合突起８２５を六角ボルトの頭部側方に係止させるようにすれば、六角ボルトの頭部の回転が規制されるため、上述の第３変形例と同様の効果を得ることができる。
【０１６４】
上述の第１〜第３変形例において、第１キャップ部材８００〜８２０が有底円筒状に形成されているが、これに限られるものではなく、例えば、断面視矩形（三角形や四角形等）の筒状に形成されてもよく、断面視楕円形の筒状に形成されてもよい。このようにすれば、第１キャップ部材が中心軸周りに回転するのを防止することができるため、結合ネジ６９９の不正な回転を抑えることができる。
【０１６５】
上述の第１〜第３変形例において、第１キャップ部材８００〜８２０が第１キャップ穴部６５６に対して結合ネジ６９９の挿入方向から嵌合するように構成されているが、これに限られるものではない。例えば、第１キャップ部材の代わりに第１キャップ穴部６５６を塞ぐシャッター部材（図示せず）を設け、当該シャッター部材を結合ネジ６９９の挿入方向と略直角な方向からスライド移動させて第１キャップ穴部６５６を塞ぎ、不図示のロック機構等により第１キャップ穴部６５６を閉止保持するように構成されてもよい。このような場合でも、結合ネジ６９９の頭部６９９ｂに当接もしくは近接する押さえ部をシャッター部材に設けることで、上述の変形例と同様の効果を得ることができる。
【０１６６】
また、第１〜第３変形例のキャップ部材８００〜８２０は、副基板ケース蓋３５０の第１キャップ穴部６５６を塞ぐ第１キャップ部材に限らず、副基板側コネクタカバー６６０の第２キャップ穴部６７３を塞ぐ第２キャップ部材としても使用可能である。また、第１〜第３変形例のキャップ部材８００〜８２０は、第３実施形態に限らず、第２実施形態において、副基板ケース蓋３５０の第１キャップ穴部３５６を塞ぐ第１キャップ部材としても使用可能であり、副基板側コネクタカバー３６０の第２キャップ穴部（図示せず）を塞ぐ第２キャップ部材としても使用可能である。また、第１〜第３変形例のキャップ部材８００〜８２０は、副基板ケース６３０に限らず、主基板ケース５２０の主基板ケース蓋５４０や、主基板側コネクタカバー５６０およびハーネスカバー５８０等にも用いることが可能である。
【０１６７】
上述の各実施形態において、前面扉の後面側に副制御装置が設けられているが、これに限られるものではなく、基体部の内側に設けられてもよい。
【０１６８】
上述の各実施形態において、本発明が適用される遊技機の一例として、遊技メダルを使用するスロットマシン（回胴式遊技機）ＳＭを例示して説明したが、これに限定されるものではなく、例えば、遊技球を使用する回胴式遊技機や、雀球遊技機、アレンジボール機、パチンコ機などについても同様に適用し、同様の効果を得ることができる。
【符号の説明】
【０１６９】
ＳＭ１  スロットマシン（遊技機の第１実施形態）
１０  基体部（本体部材）
１１  リールユニット
１２ａ  第１リール
１２ｂ  第２リール
１２ｃ  第３リール
１５  主制御装置
２０  前面扉（開閉部材）
５０  ランプユニット
５２ａ  第１リール表示窓
５２ｂ  第２リール表示窓
５２ｃ  第３リール表示窓
５５  電飾ランプ基板
５８  センサ切欠き部
５９ａ  ＡＴ報知用ＬＥＤランプ
５９ｂ  電飾用ＬＥＤランプ
６０  リアカバー
６３  第１センサ挿入穴
７０  ランプハウス
７２ａ  第１窓穴部
７２ｂ  第２窓穴部
７２ｃ  第３窓穴部
７７  第２センサ挿入穴
８０  インナーカバー
８２ａ  第１窓穴部
８２ｂ  第２窓穴部
８２ｃ  第３窓穴部
８５  アウターカバー
９０  挿入規制部材
ＳＭ２  スロットマシン（遊技機の第２実施形態）
１１０  基体部（本体部材）
１１５  主制御装置
１２０  前面扉（開閉部材）
２００  左サイドランプ
２１０  右サイドランプ
２２０  ランプホルダ
２３０  ランプモジュール
２３１  サイドランプ基板（２３２ａ  第１実装面、２３２ｂ  第２実装面）
２３３  第１電飾用ＬＥＤランプ
２３８  第２電飾用ＬＥＤランプ
２４１  第１ランプハウス
２４２  第１透光部
２４３  第１溝部
２５１  第２ランプハウス
２５２  第２透光部
２５３  第２溝部
２６１  第１拡散シート
２７１  第２拡散シート
２８１  ランプカバー
３００  副制御装置
ＳＭ３  スロットマシン（遊技機の第３実施形態）
４１０  基体部（本体部材）
４２０  前面扉（開閉部材）
４５１  第１電飾ユニット
４５２  第１電飾取付部
４５４  第２電飾ユニット
４５５  第２電飾取付部
４５７  第３電飾ユニット
４５８  第３電飾取付部
４６０  第４電飾ユニット
４６１  第４電飾取付部
４６２  第２係合穴
４６３  収容穴
４６６  電飾用ランプ基板
４７１  ランプハウス
４７６  第１係合穴
４８１  導光部材
４８６  ランプカバー
４９０  仮固定部材
４９１  胴部
４９２  第１端部
４９３  第１係合部
４９４  第２端部
４９５  第２係合部
４９８  固定ネジ
５００  主制御装置
５１０  主制御基板
５１３  主基板側光コネクタ
５２０  主基板ケース
５３０  主基板ケース本体
５４０  主基板ケース蓋
５４６  囲い部
５４７  コネクタ用切欠き部
５４８  ケーブル受容部
５５０  封印カバー
５６０  主基板側コネクタカバー
５６１  第１カバー部
５６２  右外壁部
５６３  コネクタ用切欠き部
５６４  内壁部
５６５  ケーブル用切欠き部（５６５ａ  中心軸）
５６６  左外壁部
５６７  第１外側切欠き部（５６７ａ  中心軸）
５６８  天井部
５６９  第１キャップ穴部
５７１  第２カバー部
５８０  ハーネスカバー
５８１  第２キャップ穴部
５９０  第１キャップ部材
５９５  第２キャップ部材
５９７  第１外側切欠き部
６００  副制御装置
６１０  副制御基板
６１１  サブメイン基板
６１５  副基板側光コネクタ
６２０  ガード部材
６２１  サブサブ基板
６３０  副基板ケース
６４０  副基板ケース本体
６４２  支持部
６４３  係止片部
６４８  ネジ結合穴
６５０  副基板ケース蓋
６５０  副基板側コネクタ露出部
６５６  第１キャップ穴部（６５６ａ  ロック溝部）
６５７  庇部
６５８  ネジ挿通穴
６６０  副基板側コネクタカバー
６６１  上壁部
６６１  ガイドリブ
６６３  ガードリブ
６６４  右側壁部
６６５  コネクタ囲い部（６６５ａ  コネクタ用切欠き部）
６６６  左側壁部
６６７  ケーブル用切欠き部
６６８  導入用切欠き部
６６９  係止爪部
６７０  下壁部
６７１  天井部
６７２  凹部
６７３  第２キャップ穴部
６９０  第１キャップ部材
６９５  第２キャップ部材
６９９  結合ネジ（６９９ａ  ネジ部、６９９ｂ  頭部）
７００  光通信ケーブル
７１０  第１ケーブル側コネクタ
７２０  第２ケーブル側コネクタ
８００  第１キャップ部材（第１変形例）
８０４  押さえ部
８０５  露出穴
８１０  第１キャップ部材（第２変形例）
８１４  押さえ部
８２０  第１キャップ部材（第３変形例）
８２４  押さえ部
８２５  係合突起
ＥＰ  基準点
ＳＲ  光センサ
【図１】
2015139580.tif 000003
【図２】
2015139580.tif 000004
【図３】
2015139580.tif 000005
【図４】
2015139580.tif 000006
【図５】
2015139580.tif 000007
【図６】
2015139580.tif 000008
【図７】
2015139580.tif 000009
【図８】
2015139580.tif 000010
【図９】
2015139580.tif 000011
【図１０】
2015139580.tif 000012
【図１１】
2015139580.tif 000013
【図１２】
2015139580.tif 000014
【図１３】
2015139580.tif 000015
【図１４】
2015139580.tif 000016
【図１５】
2015139580.tif 000017
【図１６】
2015139580.tif 000018
【図１７】
2015139580.tif 000019
【図１８】
2015139580.tif 000020
【図１９】
2015139580.tif 000021
【図２０】
2015139580.tif 000022
【図２１】
2015139580.tif 000023
【図２２】
2015139580.tif 000024
【図２３】
2015139580.tif 000025
【図２４】
2015139580.tif 000026
【図２５】
2015139580.tif 000027
【図２６】
2015139580.tif 000028
【図２７】
2015139580.tif 000029
【図２８】
2015139580.tif 000030
【図２９】
2015139580.tif 000031
【図３０】
2015139580.tif 000032
【図３１】
2015139580.tif 000033
【図３２】
2015139580.tif 000034
【図３３】
2015139580.tif 000035
【図３４】
2015139580.tif 000036
【図３５】
2015139580.tif 000037
【図３６】
2015139580.tif 000038
【図３７】
2015139580.tif 000039
【図３８】
2015139580.tif 000040
【図３９】
2015139580.tif 000041
【図４０】
2015139580.tif 000042
【図４１】
2015139580.tif 000043
【図４２】
2015139580.tif 000044
【図４３】
2015139580.tif 000045
【図４４】
2015139580.tif 000046
【図４５】
2015139580.tif 000047
【図４６】
2015139580.tif 000048
【図４７】
2015139580.tif 000049
【図４８】
2015139580.tif 000050
【図４９】
2015139580.tif 000051
【図５０】
2015139580.tif 000052
【図５１】
2015139580.tif 000053
【図５２】
2015139580.tif 000054
【図５３】
2015139580.tif 000055
【図５４】
2015139580.tif 000056
【図５５】
2015139580.tif 000057
【図５６】
2015139580.tif 000058
【図５７】
2015139580.tif 000059
【図５８】
2015139580.tif 000060
【図５９】
2015139580.tif 000061
【図６０】
2015139580.tif 000062
【図６１】
2015139580.tif 000063
【図６２】
2015139580.tif 000064
【図６３】
2015139580.tif 000065
【図６４】
2015139580.tif 000066
【図６５】
2015139580.tif 000067
【図６６】
2015139580.tif 000068